(57)【要約】      （修正有）【課題】中継伝送のための方法、装置及び中継端末デバイスを開示し、中継伝送の処理複雑度を低減することができる方法を提供する。【解決手段】中継端末デバイスは、コアネットワークデバイスにベアラ確立要求を送信することと、アクセスネットワークデバイスより送信された再構成メッセージを受信することとを実行する。ベアラ確立要求は、遠端端末デバイスのＥＰＳベアラを確立するように要求するために用いられ、再構成メッセージが遠端端末デバイスのために確立されるＥＰＳベアラの構成情報を含む。ＥＰＳベアラは、アクセスネットワークデバイスと中継端末デバイスとの間のセルラーデータ伝送チャネルと、中継端末デバイスと遠端端末デバイスとの間のＤ２Ｄデータ伝送チャネルとを含む。【選択図】図２
2020171024.tif 000002
【特許請求の範囲】
【請求項１】
中継伝送のための方法であって、
コアネットワークデバイスは、中継端末デバイスより送信されたベアラ確立要求を受信することと、
前記コアネットワークデバイスは、前記ベアラ確立要求に基づいて、前記遠端端末デバイスのＥＰＳベアラを確立することと、
を含み、
前記ベアラ確立要求が、遠端端末デバイスの進化型パケットシステムＥＰＳベアラを確立するように要求するために用いられ、
ここで、前記ＥＰＳベアラが、アクセスネットワークデバイスと前記中継端末デバイスとの間のセルラーデータ伝送チャネルと、前記中継端末デバイスと前記遠端端末デバイスとの間のデバイスツーデバイスＤ２Ｄデータ伝送チャネルとを含む、
ことを特徴とする前記中継伝送のための方法。
【請求項２】
前記ベアラ確立要求は、前記遠端端末デバイスの端末デバイス識別子を含む、
ことを特徴とする請求項１に記載の中継伝送のための方法。
【請求項３】
前記コアネットワークデバイスが、中継端末デバイスより送信されたベアラ確立要求を受信することは、
コアネットワークデバイスは、前記中継端末デバイスより送信された非アクセス層メッセージを受信することを含み、前記非アクセス層メッセージが前記ベアラ確立要求を含み、
前記コアネットワークデバイスが、前記ベアラ確立要求に基づいて、前記遠端端末デバイスのＥＰＳベアラを確立することは、
前記コアネットワークデバイスは、前記アクセスネットワークデバイスに、アプリケーション層プロトコルのシグナリングを送信することを含み、ここで、前記アプリケーション層プロトコルのシグナリングが、前記遠端端末デバイスの端末デバイス識別子を含む、
ことを特徴とする請求項１又は２に記載の中継伝送のための方法。
【請求項４】
前記コアネットワークデバイスが、中継端末デバイスより送信されたベアラ確立要求を受信することは、
前記コアネットワークデバイスは、前記アクセスネットワークデバイスより送信されたアプリケーション層プロトコルのシグナリングを受信することを含み、
前記アプリケーション層プロトコルのシグナリングが、前記アクセスネットワークデバイスが、前記中継端末デバイスより送信された無線リソース制御ＲＲＣメッセージに基づいて送信されるものであり、前記ＲＲＣメッセージに前記ベアラ確立要求が含まれる、
ことを特徴とする請求項１又は２に記載の中継伝送のための方法。
【請求項５】
中継伝送のための方法であって、
アクセスネットワークデバイスは、ベアラ確立要求を受信することと、
前記アクセスネットワークデバイスは、前記ベアラ確立要求に基づいて、前記遠端端末デバイスのＥＰＳベアラを確立することと、
前記アクセスネットワークデバイスは、前記中継端末デバイスに再構成メッセージを送信することと、
を含み、
前記ベアラ確立要求が、遠端端末デバイスの進化型パケットシステムＥＰＳベアラを確立するように要求するために用いられ、
ここで、前記ＥＰＳベアラが、アクセスネットワークデバイスと中継端末デバイスとの間のセルラーデータ伝送チャネルと、前記中継端末デバイスと前記遠端端末デバイスとの間のデバイスツーデバイスＤ２Ｄデータ伝送チャネルとを含み、
前記再構成メッセージが前記ＥＰＳベアラの構成情報を含む、
ことを特徴とする前記中継伝送のための方法。
【請求項６】
前記ＥＰＳベアラの構成情報は、前記中継端末デバイスと前記アクセスネットワークデバイスとの間のセルラー通信インターフェースの構成情報と、前記中継端末デバイスと前記遠端端末デバイスとの間のＤ２Ｄ通信インターフェースの構成情報とを含み、
前記セルラー通信インターフェースの構成情報は、具体的に物理層の第１の構成情報であり、前記Ｄ２Ｄ通信インターフェースの構成情報は、具体的に物理層の第２の構成情報であり、又は
前記セルラー通信インターフェースの構成情報は、具体的に物理層の第１の構成情報とレイヤ２の第１の構成情報であり、前記Ｄ２Ｄ通信インターフェースの構成情報は、具体的に物理層の第２の構成情報とレイヤ２の第２の構成情報のうちの少なくとも一つである、
ことを特徴とする請求項５に記載の中継伝送のための方法。
【請求項７】
前記物理層の第１の構成情報は、前記セルラー通信インターフェースにおいて中継伝送するための第１の伝送リソースの情報、中継特定無線ネットワーク一時識別子ＲＮＴＩ、中継伝送のデータ量区間と物理アップリンク制御チャネルＰＵＣＣＨリソースとの対応関係、及び中継伝送のデータ量区間とプリアンブルコードとの対応関係のうちの少なくとも一つを含み、ここで、前記中継特定ＲＮＴＩが、前記アクセスネットワークデバイスが、前記遠端端末デバイスのダウンリンクデータ伝送をスケジューリングするための物理ダウンリンク制御チャネルに対してスクランブリングするために用いられ、
前記物理層の第２の構成情報は、前記Ｄ２Ｄ通信インターフェースにおいて中継伝送するための第２の伝送リソースの情報を含む、
ことを特徴とする請求項６に記載の中継伝送のための方法。
【請求項８】
前記レイヤ２の第１の構成情報は、中継特定ロジックチャネル識別子ＬＣＩＤ、及び前記遠端端末デバイスに割り当てたレイヤ２識別子のうちの少なくとも一つを含み、ここで、前記中継特定ＬＣＩＤが中継伝送を識別するために用いられ、及び／又は
前記レイヤ２の第２の構成情報が、前記遠端端末デバイスに割り当てたレイヤ２識別子を含む、
ことを特徴とする請求項６又は７に記載の中継伝送のための方法。
【請求項９】
前記ＥＰＳベアラの構成情報は、前記アクセスネットワークデバイスと前記遠端端末デバイスとの間のユーザプレーンピアツーピアレイヤの構成情報をさらに含む、
ことを特徴とする請求項６〜８のいずれか１項に記載の中継伝送のための方法。
【請求項１０】
前記アクセスネットワークデバイスが、ベアラ確立要求を受信することは、
前記アクセスネットワークデバイスは、前記中継端末デバイスより送信された無線リソース制御ＲＲＣメッセージを受信することを含み、前記ＲＲＣメッセージに前記ベアラ確立要求が含まれ、
前記アクセスネットワークデバイスは、前記ベアラ確立要求に基づいて、前記遠端端末デバイスのＥＰＳベアラを確立することは、
前記アクセスネットワークデバイスは、前記ＲＲＣメッセージに基づいて、コアネットワークデバイスに、前記遠端端末デバイスのベアラを確立するように要求するためのアプリケーション層プロトコルのシグナリングを送信することを含む、
ことを特徴とする請求項５〜９のいずれか１項に記載の中継伝送のための方法。
【請求項１１】
前記アクセスネットワークデバイスが、ベアラ確立要求を受信することは、
前記アクセスネットワークデバイスは、コアネットワークデバイスより送信されたアプリケーション層プロトコルのシグナリングを受信することを含み、前記アプリケーション層プロトコルのシグナリングが、前記ベアラ確立要求を含む、
ことを特徴とする請求項５〜９のいずれか１項に記載の中継伝送のための方法。
【請求項１２】
前記ベアラ確立要求は、前記遠端端末デバイスの端末デバイス識別子を含む、
ことを特徴とする請求項５〜11のいずれか１項に記載の中継伝送のための方法。
【請求項１３】
前記ベアラ確立要求は、前記遠端端末デバイスのパケットデータネットワークＰＤＮ接続を確立するように要求するためにさらに用いられ、
前記方法は、
前記アクセスネットワークデバイスは、前記ベアラ確立要求に基づいて、前記遠端端末デバイスのＰＤＮ接続を確立することと、
前記アクセスネットワークデバイスは、前記中継端末デバイスに前記ＰＤＮ接続の構成情報を送信することと、
をさらに含む、
ことを特徴とする請求項５〜12のいずれか１項に記載の中継伝送のための方法。
【発明の詳細な説明】
【技術分野】
【０００１】
本発明は通信分野に関し、具体的に、中継伝送のための方法、装置、及び中継端末デバイスに関する。
【背景技術】
【０００２】
デバイスツーデバイス（Ｄ２Ｄ：Ｄｅｖｉｃｅ−ｔｏ−Ｄｅｖｉｃｅ）技術とは、アクセスネットワークデバイスによる転送を必要とせず、近傍の端末デバイスが近距離範囲内でダイレクトリンク方式でデータ伝送することである。Ｄ２Ｄ通信は、セルラーシステムとライセンス帯域リソースを共有し、統一された混合セルラー−Ｄ２Ｄネットワークが形成されることが可能である。当該混合ネットワークにおいて、一部の端末デバイスは、依然としてセルラー通信モードで動作することができ、即ち、アクセスネットワークデバイスを介してその他の端末デバイスと通信し、一方、一部の端末デバイスは、Ｄ２Ｄ通信で動作することができ、即ち、その他の端末デバイスとの間のダイレクトリンクを介して、その他の端末デバイスと直接にデータ伝送を行う。
【０００３】
また、Ｄ２Ｄ中継補助アクセスネットワークデバイスを介して、端末デバイス間でデータ伝送を行うことができ、この場合、Ｄ２Ｄ中継とＤ２Ｄ端末との間でＤ２Ｄ通信モードを採用し、Ｄ２Ｄ中継とアクセスネットワークデバイスとの間でセルラー通信モードを使用する。Ｄ２Ｄ中継は、半二重方式を使用してデータを受信、転送し、さらに、受信と転送の過程内で、モードの切り替えを行う。
【０００４】
従来技術において、Ｄ２Ｄ中継とセルラーネットワークとの間で、進化型パケットシステム（ＥＰＳ：Ｅｖｏｖｌｅｄ  Ｐａｃｋｅｔ  Ｓｙｓｔｅｍ）ベアラを確立し、セルラーネットワークに対しＤ２Ｄ端末が見えない。この場合、Ｄ２Ｄ中継は、中継Ｄ２Ｄ端末とセルラーネットワークとの間でデータ伝送する時に、インターネットプロトコル（ＩＰ：Ｉｎｔｅｒｎｅｔ  Ｐｒｏｔｏｃｏｌ）ネットワーク（ＮＥＴ）を貫通する必要であり、処理プロセスが複雑である。
【発明の概要】
【０００５】
本発明の実施例は、中継伝送のための方法、装置、及び中継端末デバイスを提供し、中継伝送の処理複雑度を低減することができる。
【０００６】
第１の態様において、中継伝送のための方法を提供し、
中継端末デバイスは、コアネットワークデバイスにベアラ確立要求を送信することと、
当該中継端末デバイスは、アクセスネットワークデバイスより送信された再構成メッセージを受信することと、
を含み、当該ベアラ確立要求が、遠端端末デバイスのＥＰＳベアラを確立するように要求するために用いられ、
当該再構成メッセージが当該遠端端末デバイスのために確立されるＥＰＳベアラの構成情報を含み、ここで、当該ＥＰＳベアラが、当該アクセスネットワークデバイスと当該中継端末デバイスとの間のセルラーデータ伝送チャネル、及び当該中継端末デバイスと当該遠端端末デバイスとの間のＤ２Ｄデータ伝送チャネルを含む。
【０００７】
本発明の実施例に提供される中継伝送のための方法は、中継端末デバイスがコアネットワークデバイスにベアラ確立要求を送信し、当該ベアラ確立要求が、遠端端末デバイスのＥＰＳベアラを確立するように要求するために用いられ、当該コアネットワークデバイスとアクセスネットワークデバイスとは、当該ベアラ確立要求に基づいて、当該遠端端末デバイスのＥＰＳベアラを確立し、ここで、当該ＥＰＳベアラが、当該アクセスネットワークデバイスと当該中継端末デバイスとの間のセルラーデータ伝送チャネル、及び当該中継端末デバイスと当該遠端端末デバイスとの間のデバイスツーデバイスＤ２Ｄデータ伝送チャネルを含む。このように、当該中継端末デバイスは、当該ＥＰＳベアラを使用し、当該遠端端末デバイスと当該アクセスネットワークデバイスとの間のデータ伝送を中継することができ、当該中継端末デバイスが異なる方式を使用して中継するのに有利であり、ＮＥＴの貫通を必要とせず、それによって、中継伝送のデータ処理の複雑度を低減する。
【０００８】
選択肢として、当該ベアラ確立要求は、当該遠端端末デバイスの端末デバイス識別子を含む。
【０００９】
第１の態様の第１の可能な実現形態において、当該ＥＰＳベアラの構成情報は、当該中継端末デバイスと当該アクセスネットワークデバイスとの間のセルラー通信インターフェースの構成情報と、当該中継端末デバイスと当該遠端端末デバイスとの間のＤ２Ｄ通信インターフェースの構成情報とを含み、当該セルラー通信インターフェースの構成情報は、具体的に物理層の第１の構成情報であり、当該Ｄ２Ｄ通信インターフェースの構成情報は、具体的に物理層の第２の構成情報であり、又は当該セルラー通信インターフェースの構成情報は、具体的に物理層の第１の構成情報とレイヤ２の第１の構成情報であり、当該Ｄ２Ｄ通信インターフェースの構成情報は、具体的に物理層の第２の構成情報とレイヤ２の第２の構成情報のうちの少なくとも一つである。
【００１０】
選択肢として、当該中継端末デバイスと当該アクセスネットワークデバイスとの間のセルラー通信インターフェースの構成情報は、具体的に当該アクセスネットワークデバイスと当該中継端末デバイスとの間のユーザプレーンピアツーピアレイヤの構成情報であっても良く、当該中継端末デバイスと当該遠端端末デバイスとの間のＤ２Ｄ通信インターフェースの構成情報は、具体的に当該中継端末デバイスと当該遠端端末デバイスとの間のユーザプレーンピアツーピアレイヤの構成情報であても良い。
【００１１】
上記の可能な実現形態を結合して、第１の態様の第２の可能な実現形態において、当該物理層の第１の構成情報は、当該セルラー通信インターフェースにおいて中継伝送するための第１の伝送リソースの情報、中継特定ＲＮＴＩ、中継伝送のデータ量区間とＰＵＣＣＨリソースとの対応関係、及び中継伝送のデータ量区間とプリアンブルコードとの対応関係のうちの少なくとも一つの情報を含み、ここで、当該中継特定ＲＮＴＩは、当該アクセスネットワークデバイスが、当該遠端端末デバイスのダウンリンクデータ伝送をスケジューリングするための物理ダウンリンク制御チャネルに対してスクランブリングするために用いられ、当該物理層の第２の構成情報は、当該Ｄ２Ｄ通信インターフェースにおいて中継伝送するための第２の伝送リソースの情報を含む。
【００１２】
上記の可能な実現形態を結合して、第１の態様の第３の可能な実現形態において、当該レイヤ２の第１の構成情報は、中継特定ＬＣＩＤと当該遠端端末デバイスに割り当てたレイヤ２識別子のうちの少なくとも一つの情報を含み、ここで、当該中継特定ＬＣＩＤが中継伝送を識別するために用いられ、及び／又は当該レイヤ２の第２の構成情報が、当該遠端端末デバイスに割り当てたレイヤ２識別子を含む。
【００１３】
上記の可能な実現形態を結合して、第１の態様の第４の可能な実現形態において、当該ＥＰＳベアラの構成情報は、当該アクセスネットワークデバイスと当該遠端端末デバイスとの間のユーザプレーンピアツーピアレイヤの構成情報をさらに含み、当該方法は、当該遠端端末デバイスに、当該アクセスネットワークデバイスと当該遠端端末デバイスとの間のユーザプレーンピアツーピアレイヤの構成情報を送信することをさらに含む。
【００１４】
上記の可能な実現形態を結合して、第１の態様の第５の可能な実現形態において、当該中継端末デバイスが、コアネットワークデバイスにベアラ確立要求を送信する前に、当該方法は、当該中継端末デバイスは、当該遠端端末デバイスの接続確立要求を受信することを含み、当該接続確立要求が、当該中継端末デバイスと当該遠端端末デバイスとの間のＤ２Ｄ通信リンクを確定するように要求するために用いられ、当該中継端末デバイスが、コアネットワークデバイスにベアラ確立要求を送信することは、当該中継端末デバイスは、当該接続確立要求に基づいて、コアネットワークデバイスにベアラ確立要求を送信することを含む。
【００１５】
上記の可能な実現形態を結合して、第１の態様の第６の可能な実現形態において、当該中継端末デバイスが、コアネットワークデバイスにベアラ確立要求を送信することは、当該中継端末デバイスは、コアネットワークデバイスに非アクセス層メッセージを送信することを含み、当該非アクセス層メッセージが当該ベアラ確立要求を含む。
【００１６】
上記の可能な実現形態を結合して、第１の態様の第７の可能な実現形態において、当該ベアラ確立要求は、当該遠端端末デバイスの端末デバイス識別子を含み、当該ＥＰＳベアラは、当該コアネットワークデバイスが当該アクセスネットワークデバイスにアプリケーション層プロトコルのシグナリングを送信することによって確立されたものであり、ここで、当該アプリケーション層プロトコルのシグナリングが、当該遠端端末デバイスの端末デバイス識別子を含む。
【００１７】
選択肢として、当該コアネットワークデバイスは、ＭＭＥであっても良く、この場合、当該ＭＭＥは、アクセスネットワークデバイスとのＳ１インターフェースを介して、当該アクセスネットワークデバイスに当該アプリケーション層プロトコルのシグナリングを送信することができる。
【００１８】
上記の可能な実現形態を結合して、第１の態様の第８の可能な実現形態において、当該中継端末デバイスが、コアネットワークデバイスにベアラ確立要求を送信することは、当該アクセスネットワークデバイスが、当該ＲＲＣメッセージに基づいて、コアネットワークデバイスに当該遠端端末デバイスのベアラを確立するように要求するためのアプリケーション層プロトコルのシグナリングを送信することができるように、当該中継端末デバイスは、当該アクセスネットワークデバイスにＲＲＣメッセージを送信することを含み、当該ＲＲＣメッセージは当該ベアラ確立要求を含む。
【００１９】
選択肢として、当該コアネットワークデバイスが、当該ベアラ確立要求に含まれる当該遠端端末デバイスの識別子情報に基づいて、当該遠端端末デバイスのためにＥＰＳベアラを確立することできるように、当該アクセスネットワークデバイスが当該コアネットワークデバイスに送信されたアプリケーション層プロトコルのシグナリングは、当該ベアラ確立要求を含むことができる。
【００２０】
上記の可能な実現形態を結合して、第１の態様の第９の可能な実現形態において、当該ベアラ確立要求は、当該遠端端末デバイスのＰＤＮ接続を確立するように要求するためにさらに用いられ、当該再構成メッセージは、当該遠端端末デバイスのために確立されるＰＤＮ接続の構成情報をさらに含み、当該方法は、当該中継端末デバイスは、当該遠端端末デバイスに当該ＰＤＮ接続の構成情報を送信することをさらに含む。
【００２１】
第２の態様において、別の中継伝送のための方法を提供し、コアネットワークデバイスは、中継端末デバイスより送信されたベアラ確立要求を受信することと、当該コアネットワークデバイスは、当該ベアラ確立要求に基づいて、当該遠端端末デバイスのＥＰＳベアラを確立することと、を含み、当該ベアラ確立要求が、遠端端末デバイスのＥＰＳベアラを確立するように要求するために用いられ、ここで、当該ＥＰＳベアラが、アクセスネットワークデバイスと当該中継端末デバイスとの間のセルラーデータ伝送チャネルと、当該中継端末デバイスと当該遠端端末デバイスとの間のＤ２Ｄデータ伝送チャネルとを含む。
【００２２】
第２の態様の第１の可能な実現形態において、当該ベアラ確立要求は、当該遠端端末デバイスの端末デバイス識別子を含む。
【００２３】
上記の可能な実現形態を結合して、第２の態様の第２の可能な実現形態において、当該コアネットワークデバイスが、中継端末デバイスより送信されたベアラ確立要求を受信することは、コアネットワークデバイスは、当該中継端末デバイスより送信された非アクセス層メッセージを受信することを含み、当該非アクセス層メッセージが当該ベアラ確立要求を含み、当該コアネットワークデバイスが、当該ベアラ確立要求に基づいて、当該遠端端末デバイスのＥＰＳベアラを確立することは、当該コアネットワークデバイスは、当該アクセスネットワークデバイスにアプリケーション層プロトコルのシグナリングを送信することを含み、ここで、当該アプリケーション層プロトコルのシグナリングが、当該遠端端末デバイスの端末デバイス識別子を含む。
【００２４】
選択肢として、当該アプリケーション層プロトコルのシグナリングは、当該ベアラ確立要求を含む。
【００２５】
上記の可能な実現形態を結合して、第２の態様の第３の可能な実現形態において、当該コアネットワークデバイスが、中継端末デバイスより送信されたベアラ確立要求を受信することは、当該コアネットワークデバイスは、当該アクセスネットワークデバイスより送信されたアプリケーション層プロトコルのシグナリングを受信することを含み、当該アプリケーション層プロトコルのシグナリングが、当該アクセスネットワークデバイスが当該中継端末デバイスより送信されたＲＲＣメッセージに基づいて送信されたものであり、当該ＲＲＣメッセージは当該ベアラ確立要求を含む。
【００２６】
第３の態様において、別の中継伝送のための方法を提供し、アクセスネットワークデバイスは、ベアラ確立要求を受信することと、当該アクセスネットワークデバイスは、当該ベアラ確立要求に基づいて、当該遠端端末デバイスのＥＰＳベアラを確立することと、当該アクセスネットワークデバイスは、当該中継端末デバイスに再構成メッセージを送信することと、を含み、当該ベアラ確立要求が、遠端端末デバイスのＥＰＳベアラを確立するように要求するために用いられ、ここで、当該ＥＰＳベアラが、アクセスネットワークデバイスと中継端末デバイスとの間のセルラーデータ伝送チャネルと、当該中継端末デバイスと当該遠端端末デバイスとの間のＤ２Ｄデータ伝送チャネルとを含み、当該再構成メッセージが、当該ＥＰＳベアラの構成情報を含む。
【００２７】
選択肢として、当該ベアラ確立要求は、当該遠端端末デバイスの端末デバイス識別子を含む。
【００２８】
第３の態様の第１の可能な実現形態において、当該ＥＰＳベアラの構成情報は、当該中継端末デバイスと当該アクセスネットワークデバイスとの間のセルラー通信インターフェースの構成情報と、当該中継端末デバイスと当該遠端端末デバイスとの間のＤ２Ｄ通信インターフェースの構成情報とを含み、当該セルラー通信インターフェースの構成情報は、具体的に物理層の第１の構成情報であり、当該Ｄ２Ｄ通信インターフェースの構成情報は、具体的に物理層の第２の構成情報であり、又は当該セルラー通信インターフェースの構成情報は、具体的に物理層の第１の構成情報とレイヤ２の第１の構成情報であり、当該Ｄ２Ｄ通信インターフェースの構成情報は、具体的に物理層の第２の構成情報とレイヤ２の第２の構成情報のうちの少なくとも一つである。
【００２９】
上記の可能な実現形態を結合して、第３の態様の第２の可能な実現形態において、当該物理層の第１の構成情報は、当該セルラー通信インターフェースにおいて中継伝送するための第１の伝送リソースの情報、中継特定ＲＮＴＩ、中継伝送のデータ量区間とＰＵＣＣＨリソースとの対応関係、及び中継伝送のデータ量区間とプリアンブルコードとの対応関係のうちの少なくとも一つの情報を含み、ここで、当該中継特定ＲＮＴＩは、当該アクセスネットワークデバイスが、当該遠端端末デバイスのダウンリンクデータ伝送をスケジューリングするための物理ダウンリンク制御チャネルに対してスクランブリングするために用いられ、当該物理層の第２の構成情報が、当該Ｄ２Ｄ通信インターフェースにおいて中継伝送するための第２の伝送リソースの情報を含む。
【００３０】
上記の可能な実現形態を結合して、第３の態様の第３の可能な実現形態において、当該レイヤ２の第１の構成情報は、中継特定ＬＣＩＤと当該遠端端末デバイスに割り当てたレイヤ２識別子のうちの少なくとも一つの情報を含み、ここで、当該中継特定ＬＣＩＤが中継伝送を識別するために用いられ、及び／又は当該レイヤ２の第２の構成情報が、当該遠端端末デバイスに割り当てたレイヤ２識別子を含む。
【００３１】
上記の可能な実現形態を結合して、第３の態様の第４の可能な実現形態において、当該ＥＰＳベアラの構成情報は、当該アクセスネットワークデバイスと当該遠端端末デバイスとの間のユーザプレーンピアツーピアレイヤの構成情報をさらに含む。
【００３２】
上記の可能な実現形態を結合して、第３の態様の第５の可能な実現形態において、当該アクセスネットワークデバイスが、ベアラ確立要求を受信することは、当該アクセスネットワークデバイスは、当該中継端末デバイスより送信されたＲＲＣメッセージを受信すること、を含み、当該ＲＲＣメッセージが、当該ベアラ確立要求を含み、当該アクセスネットワークデバイスが、当該ベアラ確立要求に基づいて、当該遠端端末デバイスのＥＰＳベアラを確立することは、当該アクセスネットワークデバイスは、当該ＲＲＣメッセージに基づいて、コアネットワークデバイスに当該遠端端末デバイスのベアラを確立するように要求するためのアプリケーション層プロトコルのシグナリングを送信すること、を含む。
【００３３】
上記の可能な実現形態を結合して、第３の態様の第６の可能な実現形態において、当該アクセスネットワークデバイスが、ベアラ確立要求を受信することは、当該アクセスネットワークデバイスは、コアネットワークデバイスより送信されたアプリケーション層プロトコルのシグナリングを受信することを含み、当該アプリケーション層プロトコルのシグナリングは、当該ベアラ確立要求を含む。
【００３４】
上記の可能な実現形態を結合して、第３の態様の第７の可能な実現形態において、当該ベアラ確立要求は、当該遠端端末デバイスのＰＤＮ接続を確立するように要求するためにさらに用いられ、当該方法は、当該アクセスネットワークデバイスは、当該ベアラ確立要求に基づいて、当該遠端端末デバイスのＰＤＮ接続を確立することと、当該アクセスネットワークデバイスは、当該中継端末デバイスに当該ＰＤＮ接続の構成情報を送信することと、をさらに含む。
【００３５】
第４の態様において、中継伝送のための装置を提供し、上記の第１の態様又は第１の態様のいずれの可能な実現形態における方法を実施するように構成される。具体的に、当該装置は、上記の第１の態様又は第１の態様のいずれの可能な実現形態における方法を実施するように構成されるユニットを含む。
【００３６】
第５の態様において、別の中継伝送のための装置を提供し、上記の第２の態様又は第２の態様のいずれの可能な実現形態における方法を実施するように構成される。具体的に、当該装置は、上記の第２の態様又は第２の態様のいずれの可能な実現形態における方法を実施するように構成されるユニットを含む。
【００３７】
第６の態様において、別の中継伝送のための装置を提供し、上記の第３の態様又は第３の態様のいずれの可能な実現形態における方法を実施するように構成される。具体的に、当該装置は、上記の第３の態様又は第３の態様のいずれの可能な実現形態における方法を実施するように構成されるユニットを含む。
【００３８】
第７の態様において、別の中継伝送のための装置を提供し、記憶ユニットとプロセッサとを含み、当該記憶ユニットは命令を記憶するように構成され、当該プロセッサは、当該記憶装置に記憶される命令を実行するように構成され、当該プロセッサが当該記憶装置に記憶される命令を実行する時に、当該実行によって、当該プロセッサが第１の態様又は第１の態様のいずれの可能な実現形態における方法を実行することができる。
【００３９】
第８の態様において、別の中継伝送のための装置を提供し、記憶ユニットとプロセッサとを含み、当該記憶ユニットは命令を記憶するように構成され、当該プロセッサは、当該記憶装置に記憶される命令を実行するように構成され、当該プロセッサが当該記憶装置に記憶される命令を実行する時に、当該実行によって、当該プロセッサが第２の態様又は第２の態様のいずれの可能な実現形態における方法を実行することができる。
【００４０】
第９の態様において、別の中継伝送のための装置を提供し、記憶ユニットとプロセッサとを含み、当該記憶ユニットは命令を記憶するように構成され、当該プロセッサは、当該記憶装置に記憶される命令を実行するように構成され、当該プロセッサが当該記憶装置に記憶される命令を実行する時に、当該実行によって、当該プロセッサが第３の態様又は第３の態様のいずれの可能な実現形態における方法を実行することができる。
【００４１】
第１０の態様において、コンピュータ読み取り可能な媒体を提供し、コンピュータプログラムを記憶するように構成され、当該コンピュータプログラムは、第１の態様又は第１の態様のいずれの可能な実現形態における方法の命令を含む。
【００４２】
第１１の態様において、コンピュータ読み取り可能な媒体を提供し、コンピュータプログラムを記憶するように構成され、当該コンピュータプログラムは、第２の態様又は第２の態様のいずれの可能な実現形態における方法の命令を含む。
【００４３】
第１２の態様において、コンピュータ読み取り可能な媒体を提供し、コンピュータプログラムを記憶するように構成され、当該コンピュータプログラムは、第３の態様又は第３の態様のいずれの可能な実現形態における方法の命令を含む。
【００４４】
本発明の実施例によって提供される中継伝送方法は、中継端末デバイスは、アクセスネットワークデバイスによってベアラ確立要求を送信し、当該ベアラ確立要求が、遠端端末デバイスのＥＰＳベアラを確立するように要求するために用いられ、当該アクセスネットワークデバイスは、当該ベアラ確立要求に基づいて、当該遠端端末デバイスのＥＰＳベアラを確立することが可能であり、ここで、当該ＥＰＳベアラは、当該コアネットワークデバイスとアクセスネットワークデバイスとの間のデータ伝送トンネリングと、アクセスネットワークデバイスと中継端末デバイスとの間の無線ベアラとを含むことができる。このように、当該中継端末デバイスは、当該ＥＰＳベアラを使用して、当該遠端端末デバイスとコアネットワークデバイスとの間のデータを中継することができ、ＮＥＴの貫通を必要とせず、それによって、中継伝送のデータ処理の複雑度を低減する。
【図面の簡単な説明】
【００４５】
【図１】本発明の実施例の適用する無線通信システムの概略的なフローチャートである。
【図２】本発明の実施例により提供される中継伝送のための方法の概略的なフローチャートである。
【図３】本発明の実施例の各デバイスの中継通信のためのユーザプレーンプロトコルスタックの例示的な概略図である。
【図４】本発明の実施例の各デバイスの中継通信のための別のユーザプレーンプロトコルスタックの例示的な概略図である。
【図５】本発明の実施例により提供される別の中継伝送のための方法の概略的なフローチャートである。
【図６】本発明の実施例により提供される別の中継伝送のための方法の概略的なフローチャートである。
【図７】本発明の実施例により提供される中継端末デバイスの概略的なブロック図である。
【図８】本発明の実施例により提供される中継伝送のための装置の概略的なブロック図である。
【図９】本発明の実施例により提供される別の中継伝送のための装置の概略的なブロック図である。
【図１０】本発明の実施例により提供される別の中継端末デバイスの概略的なブロック図である。
【図１１】本発明の実施例により提供される別の中継伝送のための装置の概略的なブロック図である。
【図１２】本発明の実施例により提供される別の中継伝送のための装置の概略的なブロック図である。
【発明を実施するための形態】
【００４６】
より明確に本発明の実施例を説明するために、上記において、実施例または先行技術の説明で必要となる図面を簡単に説明し、明らかに、上記に記載されている図面は、単なる本発明の幾つかの実施例に過ぎず、当業者にとって、創造的な労力を払わない前提で、これらの図面に基づいてその他の図面が得ることができる。
【００４７】
下記において、本発明の実施例の図面を結合し、本発明の実施例の技術案を明確的、全面的に説明し、当然、説明されている実施例は、本発明の一部の実施例に過ぎず、全ての実施例ではない。本発明の実施例に基づいて、当業者は、創造的な労力を払わずに得られた全てのその他の実施例は、本発明の範囲内である。
【００４８】
なお、用語の「システム」及び「ネットワーク」は、本願において互換して使用することができる。本願における用語「及び／又は」は、単なる関連対象の対応関係を説明しているだけであり、３つの関係が表されることができる。例えば、Ａ及び／又はＢは、Ａのみが存在する場合と、Ａ及びＢの両方とも存在する場合と、Ｂのみが存在する場合とを表すことができる。さらに、本願における文字“／”は、概して前後関連対象間の「又は」という関係を表している。
【００４９】
図１は、本発明の実施例が適用する無線通信システム１００の概略図であり、当該無線通信システム１００は、少なくとも一つのアクセスネットワークデバイス１１０を含む。アクセスネットワークデバイス１００は、端末デバイスと通信するデバイスであっても良い。それぞれのアクセスネットワークデバイス１００は、特定した地理エリアに通信カバレッジを提供することができ、当該カバレッジエリア内に位置する端末デバイスと通信できる。当該アクセスネットワークデバイス１００は、ＧＳＭシステム又はシンボル分割多元接続（ＣＤＭＡ：Ｃｏｄｅ  Ｄｉｖｉｓｉｏｎ  Ｍｕｌｔｉｐｌｅ  Ａｃｃｅｓｓ）システムにおける基地局（ＢＴＳ：Ｂａｓｅ  Ｔｒａｎｓｃｅｉｖｅｒ  Ｓｔａｔｉｏｎ）であっても良く、ＷＣＤＭＡシステムにおける基地局（ＮＢ：ＮｏｄｅＢ）であっても良く、さらにＬＴＥシステムにおける進化型基地局（ｅＮＢ又はｅＮｏｄｅＢ：Ｅｖｏｌｕｔｉｏｎａｌ  Ｎｏｄｅ  Ｂ）であっても良く、又はクラウド無線アクセスネットワーク（ＣＲＡＮ：Ｃｌｏｕｄ  Ｒａｄｉｏ  Ａｃｃｅｓｓ  Ｎｅｔｗｏｒｋ）における無線制御装置であっても良く、又は当該アクセスネットワークデバイスは、中継局、アクセスポイント、車載デバイス、ウェアラブルデバイス及び将来の５Ｇネットワークにおけるコアネットワークデバイス、又は公衆携帯電話網ネットワーク（ＰＬＭＮ：Ｐｕｂｌｉｃ  Ｌａｎｄ  Ｍｏｂｉｌｅ  Ｎｅｔｗｏｒｋ）におけるアクセスネットワークデバイスなどであっても良い。
【００５０】
当該無線通信システム１００は、アクセスネットワークデバイス１１０のカバレッジ範囲内に位置する複数の端末デバイス１２０をさらに含む。当該端末デバイス１２０は移動、又は固定しているものであっても良い。当該端末デバイス１２０は、アクセス端末、ユーザデバイス（ＵＥ：Ｕｓｅｒ  Ｅｑｕｉｐｍｅｎｔ）、ユーザユニット、ユーザサイト、移動サイト、移動局、遠隔サイト、遠隔端末、移動デバイス、ユーザ端末、端末、無線通信デバイス、ユーザエージェント又はユーザ装置であっても良い。アクセス端末は、セルラー電話、コードレス電話、セッション開始プロトコル（ＳＩＰ：Ｓｅｓｓｉｏｎ  Ｉｎｉｔｉａｔｉｏｎ  Ｐｒｏｔｏｃｏｌ）電話、無線ローカルループ（ＷＬＬ：Ｗｉｒｅｌｅｓｓ  Ｌｏｃａｌ  Ｌｏｏｐ）サイト、パーソナルデジタル処理（ＰＤＡ：Ｐｅｒｓｏｎａｌ  Ｄｉｇｉｔａｌ  Ａｓｓｉｓｔａｎｔ）、無線通信機能を備えるハンドヘルドデバイス、コンピューティングデバイス又は無線モデムに接続された他の処理デバイス、車載デバイス、ウェアラブルデバイス、将来の５Ｇネットワークにおける端末デバイス又は将来進化型ＰＬＭＮにおける端末デバイス等であっても良い。
【００５１】
図１は、一つのアクセスネットワークデバイスと６個の端末デバイスを例示的に示しており、選択肢として、当該無線通信システム１００は、複数個のアクセスネットワークデバイスを含むことができ、それぞれのアクセスネットワークデバイスのカバレッジ範囲内にその他の数の端末デバイスが含まれても良い、本発明の実施例はそれを限定しない。また、当該無線通信システム１００は、モビリティ管理エンティティ（ＭＭＥ：Ｍｏｂｉｌｅ  Ｍａｎａｇｅｍｅｎｔ  Ｅｎｔｉｔｙ）、サービングゲートウェイ（ＳＧＷ：Ｓｅｒｖｉｎｇ  ＧａｔｅＷａｙ）、パケットデータネットワークゲートウェイ（Ｐ−ＧＷ：Ｐａｃｋｅｔ  Ｄａｔａ  Ｎｅｔｗｏｒｋ  Ｇａｔｅｗａｙ）などのその他のネットワークエンティティを含むことも可能であるが、本発明の実施例はこれらに限らない。
【００５２】
具体的に、端末デバイス１２０は、セルラー通信モード又はＤ２Ｄ通信モードで通信することが可能であり、ここで、セルラー通信モードにおいて、端末デバイスは、アクセスネットワークデバイスによってその他の端末デバイスと通信することができ、Ｄ２Ｄ通信モードにおいて、端末デバイスは、Ｄ２Ｄリンクを介して直接にその他の端末デバイスと通信することができる。
【００５３】
図１に示されている複数の端末デバイス１２０に、セルラー端末デバイス、Ｄ２Ｄ端末デバイス、及び中継端末デバイスが含まれており、ここで、セルラー端末デバイスは、セルラー通信技術を採用してアクセスネットワークデバイス１１０と通信する。Ｄ２Ｄ端末デバイスは、中継端末デバイスによってアクセスネットワークデバイスとの間のデータ伝送を実現し、ここで、中継端末デバイスとＤ２Ｄ端末デバイスとの間にＰＣ５インターフェースを備え、Ｄ２Ｄ通信技術を採用して通信し、ここで、当該Ｄ２Ｄ通信技術は、具体的に、ＬＴＥのサイドリンク（ＳＬ：ＳｉｄｅＬｉｎｋ）技術であっても良く、ＷＬＡＮのＷＩＦＩ、又はブルートゥースなどの技術、又はその他のＤ２Ｄ通信技術であっても良く、本発明の実施例はこれに対して限定しない。中継端末デバイスとアクセスネットワークデバイスとの間にＵｕインターフェースを備え、セルラー通信技術を採用して通信する。
【００５４】
図２は、本発明の実施例に提供される中継伝送のための方法２００を例示的に示している。当該方法２００は、図１に示されている無線通信システムに適用することができるが、本発明の実施例はそれに対して限定しない。
【００５５】
Ｓ２１０において、中継端末デバイスは、コアネットワークデバイスにベアラ確立要求を送信する、当該ベアラ確立要求は、当該遠端端末デバイスのＥＰＳベアラを確立するように要求するために用いられる。
【００５６】
当該ベアラ確立要求は、当該遠端端末デバイスのＥＰＳベアラを確立するように要求するために用いられる。例えば、当該遠端端末デバイスのデフォルトＥＰＳベアラを確立するように要求し、又は当該遠端端末デバイスの専用のＥＰＳベアラを確立するように要求する。本発明の実施例はそれに対して限定しない。
【００５７】
選択肢として、当該遠端端末デバイスのパケットデータネットワーク（ＰＤＮ：Ｐａｃｋｅｔ  Ｄａｔａ  Ｎｅｔｗｏｒｋ）接続がまだ確立されていない場合、当該ベアラ確立要求は、当該遠端端末デバイスのＰＤＮ接続を確立するように要求するために用いられることが可能であるが、本発明の実施例はそれに限らない。
【００５８】
選択肢として、当該ベアラ確立要求は、当該遠端端末デバイスの情報、例えば、当該遠端端末デバイスの端末デバイス識別子を含むことができ、選択肢として、当該遠端端末デバイスのＰＤＮ接続がすでに確立した場合、当該遠端端末デバイスの情報は当該遠端端末デバイスのＩＰアドレスを含んでも良いが、本発明の実施例はそれに限らない。
【００５９】
選択肢として、当該中継端末デバイスは、遠端端末デバイスとＤ２Ｄ通信リンク（ＰＣ５接続とも称される）を確立した後に、当該ベアラ確立要求を送信することができる。選択肢として、当該中継端末デバイスが当該遠端端末デバイスの接続確立要求を受信した時に、当該接続確立要求に基づいて、当該ベアラ確立要求を送信することもでき、ここで、当該接続確立要求が、当該中継端末デバイスと当該遠端端末デバイスとの間のＤ２Ｄ通信リンクを確定するように要求するために用いられ、例えば、当該接続確立要求は、具体的に直接通信要求であっても良く、当該中継端末デバイスと当該遠端端末デバイスとの間のＰＣ５リンクを確立するように要求するために用いられるが、本発明の実施例はそれに限らない。
【００６０】
選択肢として、当該コアネットワークデバイスは、具体的にモビリティ管理エンティティ（ＭＭＥ：Ｍｏｂｉｌｉｔｙ  Ｍａｎａｇｅｍｅｎｔ  Ｅｎｔｉｔｙ）又はその他の装置であっても良く、便利上、以下において当該コアネットワークデバイスがＭＭＥであることを例として説明するが、本発明の実施例はそれに限らない。
【００６１】
選択肢として、当該中継端末デバイスは、アクセスネットワークデバイスに無線リソース制御（ＲＲＣ：Ｒａｄｉｏ  Ｒｅｓｏｕｒｃｅ  Ｃｏｎｔｒｏｌ）メッセージを送信することによって、当該コアネットワークデバイスに当該ベアラ確立要求を送信することができる。具体的に、当該中継端末デバイスは、アクセスネットワークデバイスにＲＲＣメッセージを送信することができ、当該ＲＲＣメッセージが当該ベアラ確立要求を含む。当該アクセスネットワークデバイスは、当該ＲＲＣメッセージを受信した後に、コアネットワークデバイスにアプリケーション層プロトコルのシグナリングを送信することができ、当該遠端端末デバイスのＥＰＳベアラを確立するようにコアネットワークデバイスを要求するが、本発明の実施例はそれに限らない。
【００６２】
選択肢として、当該中継端末デバイスは、コアネットワークデバイスに非アクセス層（ＮＡＳ：Ｎｏｎ  Ａｃｃｅｓｓ  Ｓｔｒａｔｕｍ）メッセージを送信しても良く、ここで、当該ＮＡＳメッセージは当該ベアラ確立要求を含むが、本発明の実施例はそれに限らない。
【００６３】
Ｓ２２０において、コアネットワークデバイスは、当該ベアラ確立要求を受信し後に、当該ベアラ確立要求に基づいて、アクセスネットワークデバイスと一緒に当該遠端端末デバイスのＥＰＳベアラを確立することができ、ここで、当該ＥＰＳベアラが、当該アクセスネットワークデバイスと当該中継端末デバイスとの間のセルラーデータ伝送チャネルと、当該中継端末デバイスと当該遠端端末デバイスとの間のデバイスツーデバイスＤ２Ｄデータ伝送チャネルとを含む。
【００６４】
選択肢として、当該ＥＰＳベアラは、当該コアネットワークデバイスとアクセスネットワークデバイスとの間のデータ伝送チャネルと、当該コアネットワークデバイスとＰ−ＧＷとの間のデータ伝送チャネルとを含むことが可能であり、ここで、選択肢として、当該コアネットワークデバイスとアクセスネットワークデバイスとの間のデータ伝送チャネルと、当該コアネットワークデバイスとＰ−ＧＷとの間のデータ伝送チャネルとは、ＧＰＲＳトンネリングプロトコル（ＧＴＰ：ＧＰＲＳ  Ｔｕｎｎｅｌｌｉｎｇ  Ｐｒｏｔｏｃｏｌ）トンネリングと総称することができるが、本発明の実施例はそれに限らない。
【００６５】
選択肢として、当該ＥＰＳベアラが当該遠端端末デバイスのデフォルトベアラである場合、当該ＥＰＳベアラを確立する前に、当該コアネットワークデバイスは、当該遠端端末デバイスに対して認証を行うことも可能であり、例えば身分の認証、セキュリティ認証、等々であるが、本発明の実施例はそれに限らない。
【００６６】
選択肢として、当該Ｐ−ＧＷが当該遠端端末デバイスの情報に基づいて、当該遠端端末デバイスのＧＴＰトンネリングを確立することができるように、当該コアネットワークデバイスは、Ｐ−ＧＷに当該遠端端末デバイスの情報を送信することができる。選択肢として、当該コアネットワークデバイスは、Ｐ−ＧＷより送信された当該ＧＴＰトンネリングの構成情報を受信することもでき、例えば、当該遠端端末デバイスに割り当てるトンネルエンドポイント識別子（ＴＥＩＤ：Ｔｕｎｎｅｌ  Ｅｎｄｐｏｉｎｔ  Ｉｄｅｎｔｉｆｉｅｒ）等々であるが、本発明の実施例は、これに対して限定しない。
【００６７】
選択肢として、当該アクセスネットワークデバイスが当該アプリケーション層プロトコルのシグナリングに基づいて、当該遠端端末デバイスの無線ベアラを確立することができるように、当該コアネットワークデバイスは、当該アクセスネットワークデバイスにアプリケーション層プロトコルのシグナリングを送信することもでき、ここで、当該アプリケーション層プロトコルのシグナリングは、当該遠端端末デバイスの端末デバイス識別子を含むことができ、ここで、当該遠端端末デバイスの無線ベアラは、当該アクセスネットワークデバイスと当該中継端末デバイスとの間のデータ伝送チャネルと、当該中継端末デバイスと当該遠端端末デバイスとの間のデータ伝送チャネルとを含むことができる。選択肢として、当該アプリケーション層プロトコルのシグナリングは、具体的にイニシャルコンテキスト確立要求（ＩＮＩＴＩＡＬ  ＣＯＮＴＥＸＴ  ＳＥＴＵＰ  ＲＥＱＵＥＳＴ）又は無線アクセスベアラ（ＲＡＢ：Ｒａｄｉｏ  Ａｃｃｅｓｓ  Ｂｅａｒｅｒ）確立要求、等々であっても良く、本発明の実施例は、これに対して限定しない。
【００６８】
Ｓ２３０において、アクセスネットワークデバイスは、中継端末デバイスに再構成メッセージを送信し、当該再構成メッセージが当該遠端端末デバイスのために確立されるＥＰＳベアラの構成情報を含む。
【００６９】
選択肢として、当該再構成メッセージは、具体的に、ＲＲＣ接続再構成メッセージであっても良く、当該ＥＰＳベアラの構成情報は、当該アクセスネットワークデバイス当該遠端端末デバイスのために確立される無線ベアラの構成情報を含むことができる。例えば、当該無線ベアラの構成情報は、当該アクセスネットワークデバイスと当該中継端末デバイスとの間のユーザプレーンピアツーピアレイヤの構成情報、当該中継端末デバイスと当該遠端端末デバイスとの間のユーザプレーンピアツーピアレイヤの構成情報、及び当該アクセスネットワークデバイスと当該遠端端末デバイスとの間のユーザプレーンピアツーピアレイヤの構成情報のうちの少なくとも一つを含むことができるが、本発明の実施例はそれに限らない。
【００７０】
選択肢として、本発明の実施例において、当該中継端末デバイスは、ＩＰ層と異なる、その他の層を介して当該遠端端末デバイスと当該ネットワークデバイスとの間のデータ伝送を中継することができる。例えば、当該中継端末デバイスは、レイヤ１中継又はレイヤ２中継の方式を採用することができる。ここで、レイヤ１中継は、具体的に物理層中継であっても良く、レイヤ２中継は、具体的にメディアアクセス制御（ＭＡＣ：Ｍｅｄｉａ  Ａｃｃｅｓｓ  Ｃｏｎｔｒｏｌ）層中継、無線リンク制御（ＲＬＣ：Ｒａｄｉｏ  Ｌｉｎｋ  Ｃｏｎｔｒｏｌ）層中継、又はパケットデータ収束プロトコル（ＰＤＣＰ：Ｐａｃｋｅｔ  Ｄａｔａ  Ｃｏｎｖｅｒｇｅｎｃｅ  Ｐｒｏｔｏｃｏｌ）層中継であっても良いが、本発明の実施例は、当該中継端末デバイスの中継伝送に対して限定しない。
【００７１】
選択肢として、当該中継端末デバイスは、レイヤ１中継方式を採用しても良い。この場合、当該中継端末デバイスのユーザプレーンプロトコルスタックは、物理層のみを含むことが可能であり、例えば、図３に示されているユーザプレーンプロトコルスタックの例において、当該中継端末デバイスの物理層と、当該遠端端末デバイスの物理層及び当該ネットワークデバイスの物理層のそれぞれとは、ピアツーピアレイヤであり、当該ネットワークデバイスと当該遠端端末デバイスの上位レイヤ（例えばレイヤ２、レイヤ３等々）とはピアツーピアレイヤであるが、本発明の実施例はそれに限らない。この場合、選択肢として、当該ネットワークデバイス又は遠端端末デバイスは、相手側にデータを送信する必要がある時に、データをＭＡＣ  ＰＤＵとしてカプセル化することができ、ここで、当該ＭＡＣ  ＰＤＵに遠端端末デバイスの識別子情報が含まれ、物理層を介して当該ＭＡＣ  ＰＤＵを処理し、物理層データフレームを生成し、物理層を介して中継端末デバイスに当該物理層データフレームを送信する。当該中継端末デバイスは、遠端端末デバイス又はネットワークデバイスより送信された物理層データフレームを受信した時に、当該物理層データフレームに対応する遠端端末デバイスを識別せず、物理層において受信された当該物理層データフレームに含まれるデータに対して処理と転送することができ、それに応じて、当該中継端末デバイスが物理層を介して送信されたデータを受信したネットワークデバイス又は遠端端末デバイスによって、上位レイヤ（例えばレイヤ２又はレイヤ３）において、当該データに対応する遠端端末デバイスを識別するが、本発明の実施例はそれに限らない。
【００７２】
この場合、選択肢として、当該無線ベアラの構成情報は、当該アクセスネットワークデバイスと当該中継端末デバイスとの間のユーザプレーンピアツーピアレイヤの構成情報を含むことが可能であり、即ち、当該中継端末デバイスと当該アクセスネットワークデバイスとの間のセルラー通信インターフェースの構成情報である。当該セルラー通信インターフェースの構成情報は、当該アクセスネットワークデバイスと当該中継端末デバイスとの相手側と中継伝送するためのレイヤ１（即ち、物理層）の構成情報を含むことができ、便利上、当該構成情報を物理層の第１の構成情報と称しても良いが、本発明の実施例はそれに限らない。選択肢として、当該物理層の第１の構成情報は、中継伝送のための第１の伝送リソースの情報、中継特定無線ネットワーク一時識別子（ＲＮＴＩ：Ｒａｄｉｏ  Ｎｅｔｗｏｒｋ  Ｔｅｍｐｏｒａｒｙ  Ｉｄｅｎｔｉｔｙ）、中継伝送のデータ量区間と物理アップリンク制御チャネルＰＵＣＣＨリソースとの対応関係、及び中継伝送のデータ量区間とプリアンブルコードとの対応関係のうちの少なくとも一つを含む。又は、当該物理層の第１の構成情報は、その他の中継伝送するための情報をさらに含むことができ、本発明の実施例は、これに対して限定しない。
【００７３】
具体的に、当該中継伝送のための第１の伝送リソースは、具体的に、当該中継端末デバイスと当該アクセスネットワークデバイスとの間で中継データを伝送するために用いられる。このように、当該中継端末デバイスが、当該アクセスネットワークデバイスが当該第１の伝送リソースを使用して伝送する物理層データフレームを受信した場合、又は当該アクセスネットワークデバイスが、当該中継端末デバイスが当該第１の伝送リソースを使用して伝送する物理層データフレームを受信した場合、当該物理層データフレームの占用される当該第１の伝送リソースに基づいて、当該物理層データフレームに中継データが含まれることを確定することができるが、本発明の実施例はそれに限らない。
【００７４】
当該中継特定ＲＮＴＩは中継データを識別するために用いられることが可能である。具体的に、当該中継端末デバイスが当該中継特定ＲＮＴＩのアドレッシングによって受信された物理層データフレームに中継データが含まれることを確定することができるように、当該アクセスネットワークデバイスは、当該中継特定ＲＮＴＩを使用して当該遠端端末デバイスのダウンリンクデータの伝送をスケジューリングするための物理ダウンリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）に対してスクランブリングするが、本発明の実施例はそれに限らない。
【００７５】
当該中継端末デバイスがネットワークデバイスに当該遠端端末デバイスのデータを中継転送する必要がある時に、選択肢として、当該中継端末デバイスは、当該ネットワークデバイスにアップリンクグラントを要求する。選択可能な実施例として、当該中継端末デバイスは、当該ネットワークデバイスにキャッシュ状況報告を送信することができ、当該キャッシュ状況報告に、当該中継端末デバイスのキャッシュデータ量の情報が含まれ、それによって、当該ネットワークデバイスが当該キャッシュ状況報告に基づいて、当該中継端末デバイスにアップリンク伝送リソースを割り当てることができる。
【００７６】
別の選択可能な実施例として、当該物理層の第１の構成情報は、中継伝送のデータ量区間と物理アップリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）リソースとの対応関係を含むことができる。このように、当該中継端末デバイスは、当該データ量区間とＰＵＣＣＨリソースとの対応関係に基づいて、中継伝送待ちのデータ量の大きさに対応するＰＵＣＣＨリソースを確定することができ、当該対応するＰＵＣＣＨリソースを使用して当該ネットワークデバイスにスケジューリング要求を送信する。この時に、当該ネットワークデバイスは、当該スケジューリング要求の占用されるＰＵＣＣＨリソースに基づいて、当該中継端末デバイスの伝送待ちのデータ量区間を確定し、これによってアップリンク伝送リソースを割り当てるが、本発明の実施例はそれに限らない。
【００７７】
別の選択可能な実施例として、当該物理層の第１の構成情報にも、中継伝送のデータ量区間とプリアンブルコードとの対応関係が含まれることが可能である。この場合、当該中継端末デバイスがネットワークデバイスにプリアンブルコードを送信することによってアップリンクグラントを要求することができる。具体的に、当該中継端末デバイスは、当該データ量区間とプリアンブルコードとの対応関係に基づいて、中継伝送待ちのデータ量の大きさに対応するプリアンブルコードを確定することができ、当該ネットワークデバイスに当該対応するプリアンブルコードを送信する。この時に、当該ネットワークデバイスは、当該対応するプリアンブルコードに基づいて、当該中継端末デバイスの伝送待ちのデータ量区間を確定することができ、これによってアップリンク伝送リソースを割り当てるが、本発明の実施例はそれに限らない。
【００７８】
選択肢として、当該物理層の第１の構成情報は、当該中継端末デバイスと当該遠端端末デバイスとの間のユーザプレーンピアツーピアレイヤの構成情報をさらに含むことができ、即ち、当該中継端末デバイスと当該遠端端末デバイスとの間のＤ２Ｄ通信インターフェースの構成情報である。当該Ｄ２Ｄ通信インターフェースの構成情報は、当該中継端末デバイスと当該遠端端末デバイスとの相手側と中継伝送するレイヤ１（即ち、物理層）の構成情報を含むことができ、便利上、当該構成情報を物理層の第２の構成情報と称されても良いが、本発明の実施例はそれに限らない。選択肢として、当該物理層の第２の構成情報は、中継伝送のための第２の伝送リソースの情報を含むことができ、ここで、当該第２の伝送リソースが、中継端末デバイスと遠端端末デバイスとの間で中継伝送をするために用いられる。このように、当該中継端末デバイスが当該遠端端末デバイスが当該第２の伝送リソースを使用して伝送される物理層データフレームを受信した場合、又は当該遠端端末デバイスが当該中継端末デバイスが当該第２の伝送リソースを使用して伝送される物理層データフレームを受信した場合、当該物理層データフレームに占用される当該第２の伝送リソースに基づいて、当該物理層データフレームに中継データが含まれることを確定することができるが、本発明の実施例はそれに限らない。
【００７９】
選択肢として、当該物理層の第２の構成情報は、その他の情報を含むことができ、本発明の実施例は、これに対して限定しない。
【００８０】
選択肢として、当該無線ベアラの構成情報は、当該アクセスネットワークデバイスと当該遠端端末デバイスとの間のユーザプレーンピアツーピアレイヤの構成情報をさらに含むことが可能である。例えば、ＭＡＣ層の構成情報、ＲＬＣ層の構成情報、及びＰＤＣＰ層の構成情報のうちの少なくとも一つを含む。この場合、当該中継端末デバイスは、当該遠端端末デバイスに、当該アクセスネットワークデバイスと当該遠端端末デバイスとの間のユーザプレーンピアツーピアレイヤの構成情報を送信することができる。当該遠端端末デバイスは、上記の構成情報を受信した後に、ＭＡＣ層、ＲＬＣ層及びＰＤＣＰ層のうちの少なくとも一つを設定することができるが、本発明の実施例はそれに限らない。
【００８１】
選択肢として、当該中継端末デバイスは、レイヤ２中継方式、例えばＭＡＣ層中継、ＲＬＣ層中継又はＰＤＣＰ層中継方式を採用することができる。この場合、当該中継端末デバイスのユーザプレーンプロトコルスタックは、物理層とレイヤ２のうちの少なくとも一つのみを含むことができ、例えば、図４に示されているユーザプレーンプロトコルスタックの例において、当該中継端末デバイスは、ＭＡＣ層中継方式を採用する。この場合、当該中継端末デバイスの物理層と、当該遠端端末デバイスの物理層及び当該ネットワークデバイスの物理層とのそれぞれとは、ピアツーピアレイヤであり、当該中継端末デバイスのＭＡＣ層と、ネットワークデバイス及び当該遠端端末デバイスのＭＡＣ層とは、ピアツーピアレイヤであり、当該ネットワークデバイスと、当該遠端端末デバイスのＲＬＣ層、ＰＤＣＰ層、更なる上位レイヤのそれぞれとは、いずれもピアツーピアレイヤであるが、本発明の実施例はそれに限らない。この場合、選択肢として、当該中継端末デバイスは、当該遠端端末デバイスの識別子情報に基づいて、当該遠端端末デバイスを識別することができる。ここで、当該遠端端末デバイスの識別子情報は、当該遠端端末デバイスの端末デバイス識別子又はレイヤ２識別子を含むことができる。選択肢として、当該ネットワークデバイス又は遠端端末デバイスが相手側にデータを送信する必要がある時に、データを二重層ＰＤＵにカプセル化することができ、即ち、レイヤ２とレイヤ１の二重層によってカプセル化したＰＤＵである、ここで、当該二重層ＰＤＵは、当該遠端端末デバイスの識別子情報を含むことができ、又は当該アクセスネットワークデバイスが当該中継端末デバイスに中継データを送信する時に、当該ネットワークデバイスは、当該遠端端末デバイスのＲＮＴＩにスクランブリングされたＰＤＣＣＨによって当該二重層ＰＤＵに対してスケジューリングすることができる。当該中継端末デバイスが、遠端端末デバイス又はネットワークデバイスから送信された二重層ＰＤＵを受信した時に、レイヤ２で当該受信された二重層ＰＤＵに対して処理を行うことができ、例えば、当該遠端端末デバイスの識別子情報に基づいて、レイヤ２において、受信された当該二重層ＰＤＵに対応する遠端端末デバイスを識別することができ、又はレイヤ２で、当該遠端端末デバイスの識別子情報に基づいて
、受信側デバイスに送信される二重層ＰＤＵをカプセル化する等々、本発明の実施例はそれに限らない。
【００８２】
この場合、選択肢として、当該アクセスネットワークデバイスと当該中継端末デバイスとの間のユーザプレーンピアツーピアレイヤの構成情報は、具体的に、当該アクセスネットワークデバイスと当該中継端末デバイスとの、相手側と中継伝送するレイヤ１とレイヤ２との構成情報であり、ここで、上記のユーザプレーンプロトコルスタックに対応して、当該レイヤ２の構成情報は、ＭＡＣ層の構成情報を含むことができ、又はＲＬＣ層の構成情報をさらに含み、又はＲＬＣ層とＰＤＣＰ層との構成情報をさらに含む。便利上、レイヤ１とレイヤ２との構成情報をそれぞれ物理層の第１の構成情報とレイヤ２の第１の構成情報と称することができるが、本発明の実施例はそれに限らない。
【００８３】
選択肢として、物理層の第１の構成情報は上記の記載を参照することが可能であり、簡潔上、ここで省略する。別の選択可能な実施例として、当該物理層の第１の構成情報は、ネットワークデバイスが当該遠端端末デバイスに割り当てるターゲットプリアンブルコードを含むことができる。この場合、当該中継端末デバイスは、当該アクセスネットワークデバイスに当該遠端端末デバイスのデータを中継転送する必要がある時に、当該ターゲットプリアンブルコードを使用して当該アクセスネットワークデバイスにアップリンクグラント要求をすることができる、当該アクセスネットワークデバイスは、当該ターゲットプリアンブルコードに基づいて、当該アップリンクグラント要求に対応する遠端端末デバイスを確定することができ、当該遠端端末デバイスのデータにアップリンク伝送リソースを割り当てるが、本発明の実施例はそれに限らない。
【００８４】
別の選択可能な実施例として、当該物理層の第１の構成情報は、ネットワークデバイスが当該遠端端末デバイスに割り当てるＲＮＴＩをさらに含むことができる。この場合、当該アクセスネットワークデバイスが当該遠端端末デバイスのデータを送信する必要がある時に、当該遠端端末デバイスに割り当てるＲＮＴＩを使用して当該遠端端末デバイスのダウンリンクデータ伝送をスケジューリングするためのＰＤＣＣＨに対してスクランブリングすることができ、それによって当該中継端末デバイスが、当該ＲＮＴＩのアドレッシングによって受信された二重層ＰＤＵに対応する遠端端末デバイスを確定することができるが、本発明の実施例はそれに限らない。
【００８５】
選択肢として、レイヤ２の第１の構成情報は、中継特定ロジックチャネル識別子（ＬＣＩＤ：Ｌｏｇｉｃａｌ  Ｃｈａｎｎｅｌ  ＩＤｅｎｔｉｆｉｅｒ）、当該遠端端末デバイスに割り当てたレイヤ２識別子、及び当該遠端端末デバイスに割り当てるＲＮＴＩのうちの少なくとも一つを含むことができる。又は、当該レイヤ２の第１の構成情報は、その他の中継伝送するための情報を含むことができ、本発明の実施例は、これに対して限定しない。
【００８６】
具体的に、当該中継特定ＬＣＩＤは、識別子中継伝送に用いられることができる。この場合、当該アクセスネットワークデバイスが当該中継端末デバイスより送信された二重層ＰＤＵを受信し、又は当該中継端末デバイスが当該アクセスネットワークデバイスより送信された二重層ＰＤＵを受信した時に、当該二重層ＰＤＵに含まれる当該中継特定ＬＣＩＤに基づいて、当該二重層ＰＤＵに中継データが含まれることを確定するが、本発明の実施例はそれに限らない。
【００８７】
レイヤ２識別子は、レイヤ２でカプセル化して識別する識別子を指すことが可能であり、当該レイヤ２識別子は、中継伝送において当該遠端端末デバイスを識別するために用いられ、選択肢として、当該レイヤ２識別子の長さが端末デバイスの長さより小さくても良く、このように、二重層ＰＤＵに端末デバイス識別子を含ませることと比べて、ＰＤＵに当該レイヤ２識別子を含ませることは、シグナリングオーバーヘッドを低減することができるが、本発明の実施例はそれに限らない。選択肢として、当該レイヤ２識別子はＭＡＣ層、ＲＬＣ層又はＰＤＣＰ層に設定しても良い。又は、当該遠端端末デバイスと当該アクセスネットワークデバイスとのレイヤ２では、適応層を新規追加しても良く、ここで、当該適応層は、当該ＭＡＣ層とＰＤＣＰ層との間の任意の選択可能な位置に位置することができ、当該レイヤ２識別子を適応層に設定することができるが、本発明の実施例はそれに限らない。
【００８８】
選択肢として、当該中継端末デバイスと当該遠端端末デバイスとの間のユーザプレーンピアツーピアレイヤの構成情報は、当該中継端末デバイスと当該遠端端末デバイスとの相手側と中継伝送する物理層と、レイヤ２の構成情報とを含むことができ、便利上、当該物理層とレイヤ２の構成情報を物理層の第２の構成情報とレイヤ２の第２の構成情報をそれぞれ称しても良いが、本発明の実施例はそれに限らない。具体的に、当該物理層の第２の構成情報は、上記の説明を参照することができ、簡潔上、ここで省略する。当該レイヤ２の第２の構成情報は、当該遠端端末デバイスのレイヤ２識別子又はその他の情報を含むことができるが、本発明の実施例はそれに限らない。
【００８９】
選択肢として、当該アクセスネットワークデバイスと当該遠端端末デバイスとの間のユーザプレーンピアツーピアレイヤの構成情報は、ＲＬＣ層の構成情報とＰＤＣＰ層の構成情報の少なくとも一つを含むことができ、この場合、当該中継端末デバイスは、遠端端末デバイスに当該ＲＬＣ層の構成情報とＰＤＣＰ層の構成情報の少なくとも一つを指示するための指示情報を送信することによって、当該遠端端末デバイスがそれに応じる設定を行うことができるが、本発明の実施例はそれに限らない。
【００９０】
選択肢として、当該ベアラ確立要求が、当該遠端端末デバイスのＰＤＮ接続を確立するように要求するためにさらに用いられる場合、当該コアネットワークデバイスと当該アクセスネットワークデバイスは、当該遠端端末デバイスのＰＤＮ接続を確立し、当該中継端末デバイスに当該ＰＤＮ接続の構成情報、例えばＩＰアドレスを送信することができる、等々。この場合、選択肢として、当該中継端末デバイスは、当該遠端端末デバイスに当該ＰＤＮ接続の構成情報を送信することができ、本発明の実施例はそれに限らない。
【００９１】
選択肢として、当該中継端末デバイスは、当該ＥＰＳベアラの構成情報に基づいて、それに応じる設定を行うことができ、設定完了後に、当該アクセスネットワークデバイスに再構成完了メッセージ（例えばＲＲＣ接続再構成完了メッセージ）とアップリンク情報変換（Ｕｐｌｉｎｋ  Ｉｎｆｏｒｍａｔｉｏｎ  Ｔｒａｎｓｆｅｒ）メッセージを送信するが、本発明の実施例はそれに限らない。
【００９２】
そのため、本発明の実施例により提供される中継伝送のための方法は、中継端末デバイスがコアネットワークデバイスにベアラ確立要求を送信し、当該ベアラ確立要求が、遠端端末デバイスのＥＰＳベアラを確立するように要求するために用いられ、当該コアネットワークデバイスとアクセスネットワークデバイスとは、当該ベアラ確立要求に基づいて、当該遠端端末デバイスのＥＰＳベアラを確立し、ここで、当該ＥＰＳベアラは、当該アクセスネットワークデバイスと当該中継端末デバイスとの間のセルラーデータ伝送チャネルと、当該中継端末デバイスと当該遠端端末デバイスとの間のデバイスツーデバイスＤ２Ｄデータ伝送チャネルを含む。このように、当該中継端末デバイスは、当該ＥＰＳベアラを使用し、当該遠端端末デバイスと当該アクセスネットワークデバイスとの間のデータ伝送を中継することができ、当該中継端末デバイスが異なる方式を使用して中継するのに有利であり、ＮＥＴの貫通を必要とせず、それによって、中継伝送のデータ処理の複雑度を低減する。
【００９３】
下記に具体的な例を結合して、本発明の実施例を詳しく説明する。なお、これらの例は、単に当業者に本発明の実施例をより良く理解させるためであり、本発明の実施例の範囲を限定するわけではない。
【００９４】
便利上、下記の例において、セルラーネットワークが既に遠端端末デバイスと、ＰＤＮ接続、ベアラを確立してあり、遠端端末デバイスが具体的に遠端ＵＥであり、中継端末デバイスが具体的に中継ＵＥであり、ネットワークデバイスが具体的にｅＮＢであると仮設するが、本発明の実施例はそれに限らない。
【００９５】
図５には、本発明の実施例により提供されるベアラの確立方法３００を例示的に示している。当該方法３００において、当該遠端端末デバイスが既にセルラーネットワーク例えば進化型ユニバーサル地上無線アクセスネットワーク（Ｅ−ＵＴＲＡＮ：Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）にアタッチしており、又は当該遠端端末デバイスがセルラーネットワークとＰＤＮ接続を確立してあると仮設するが、本発明の実施例はそれに限らない。
【００９６】
Ｓ３１０において、遠端端末デバイスは、中継端末デバイスを発見して常駐する。
【００９７】
Ｓ３２０において、遠端端末デバイスは、中継端末デバイスに直接通信要求（Ｄｉｒｅｃｔ  Ｃｏｍｍｕｎｉｃａｔｉｏｎ  Ｒｅｑｕｅｓｔ）を送信し、ここで、当該直接通信要求に当該遠端端末デバイスの端末デバイス識別子と当該遠端端末デバイスのＰＤＮ接続のＩＰアドレスが含まれても良い。
【００９８】
当該直接通信要求は、具体的に当該遠端端末デバイスと当該中継端末デバイスとの間のＤ２Ｄ通信リンク、例えば、当該遠端端末デバイスと当該中継端末デバイスとの間のＰＣ５接続を確立するために用いられることができるが、本発明の実施例はそれに限らない。
【００９９】
Ｓ３３０において、中継端末デバイスは、遠端端末デバイスより送信された直接通信要求を受信した後に、ｅＮＢによってＭＭＥに当該遠端端末デバイスの端末デバイス識別子とＰＤＮ接続のＩＰアドレスを報告する。
【０１００】
Ｓ３４０において、ＭＭＥは、当該端末デバイス識別子とＩＰアドレスを記憶することができ、それをＰ−ＧＷ（又はＳ−ＧＷ）に伝送する。
【０１０１】
Ｓ３５０において、ＭＭＥとＰ−ＧＷとは、当該遠端端末デバイスにＳ１−ＵインターフェースのＧＴＰトンネリング、例えばトンネルエンドポイント識別子（ＴＥＩＤ：Ｔｕｎｎｅｌ  Ｅｎｄｐｏｉｎｔ  Ｉｄｅｎｔｉｆｉｅｒ）等を割り当てる。
【０１０２】
Ｓ３６０において、ｅＮＢは、遠端端末デバイスに中継端末デバイスとｅＮＢとの間の無線ベアラを割り当てる。
【０１０３】
選択肢として、当該無線ベアラの構成情報は、物理層の構成情報、又は物理層の構成情報及びＭＡＣ層の構成情報を含むことができ、選択肢として、当該ＭＡＣ層の構成情報は、当該遠端端末デバイスに割り当てたレイヤ２識別子を含むことができる。又は、当該ｅＮＢは、当該中継端末デバイスに当該遠端端末デバイスのＲＬＣ層構成及び／又はＰＤＣＰ層構成、を送信することができる、本発明の実施例はそれに限らない。
【０１０４】
Ｓ３３０において、中継端末デバイスは、遠端端末デバイスに直接通信応答を送信する。
【０１０５】
選択肢として、当該直接通信応答は、当該レイヤ２識別子及び／又はＲＲＣコンテナを含むことができ、ここで、当該ＲＲＣコンテナには、ＲＬＣ層構成及び／又はＰＤＣＰ層構成がカプセル化されることができる。それに応じて、当該遠端端末デバイスは、直接通信応答を受信した後に、当該直接通信応答内のＲＲＣコンテナに基づいて、対応するＲＬＣ層及び／又はＰＤＣＰ層を構成することができるが、本発明の実施例はそれに限らない。
【０１０６】
図６は、本発明の実施例により提供される別のベアラの確立方法４００を例示的に示している。当該方法４００において、遠端端末デバイスがＰＤＮ接続をまだ確立していないと仮設する。
【０１０７】
Ｓ４１０において、遠端端末デバイスは、中継端末デバイスを発見して常駐する。
【０１０８】
Ｓ４２０において、遠端端末デバイスは、中継端末デバイスに直接通信要求を送信し、当該直接通信要求は、遠端端末デバイスの端末デバイス識別子と、ＰＤＮ接続を確立するように要求するための指示情報を含むことができる。
【０１０９】
この場合、当該直接通信要求は、当該遠端端末デバイスと当該中継端末デバイスとの間のＰＣ５接続を確立するように要求するために用いられることができ、当該遠端端末デバイスとセルラーネットワークとの間のＰＤＮ接続を確立するように要求するようにさらに構成される。
【０１１０】
Ｓ４３０において、中継端末デバイスは、当該直接通信要求に基づいて、ｅＮＢによってＭＭＥにＰＤＮ接続確立要求を送信し、遠端端末デバイスのＰＤＮ接続を確立するように要求することができる。選択肢として、当該ＰＤＮ接続確立要求は、遠端端末デバイスの端末デバイス識別子を含むことができる。
【０１１１】
Ｓ４４０において、コアネットワークデバイス（ＭＭＥ又はＳ−ＧＷ／Ｐ−ＧＷ）は、遠端端末デバイスのためにＰＤＮ接続を確立し、当該遠端端末デバイスにＩＰアドレスを割り当てる。
【０１１２】
Ｓ４５０において、ＭＭＥは、ｅＮＢによって中継端末デバイスにＰＤＮ接続確立応答を送信し、当該ＰＤＮ接続確立応答にＰＤＮ接続の構成情報、例えばＩＰアドレス等が含まれる。
【０１１３】
Ｓ４６０において、ＭＭＥは、遠端端末デバイスにＳ１−ＵのＧＴＰトンネリング、例えばＴＥＩＤ等を割り当てる。
【０１１４】
Ｓ４７０において、ｅＮＢは、遠端端末デバイスに中継端末デバイスとｅＮＢとの間の無線ベアラを割り当てる。
【０１１５】
選択肢として、当該無線ベアラの構成情報は、物理層の構成情報又は物理層の構成情報及びレイヤ２の構成情報を含むことができるが、本発明の実施例はそれに限らない。
【０１１６】
Ｓ４８０において、中継端末デバイスは、遠端端末デバイスに直接通信応答を送信する。
【０１１７】
選択肢として、当該直接通信応答は、レイヤ２識別子及び／又はＲＲＣコンテナを含むことができ、当該直接通信応答は、当該ＰＤＮ接続の情報、例えばＩＰアドレス等々をさらに含むことができるが、本発明の実施例はそれに限らない。
【０１１８】
なお、図３〜図６の例は、当業者に本発明の実施例をより良く理解させるためであり、本発明の実施例の範囲を限定するわけではない。当業者は、上記の図３〜図６の例によって、明らかに等価の改修又は変更を行うことができ、このような改修又は変更も本発明の実施例の範囲内である。
【０１１９】
本発明の各実施例において、上記の各過程の番号は実施の前後順序と意味せず、各過程の実施順序は、その機能と自身のロジックによって確定されるべきであり、本発明の実施例の実施過程を制限するものになるわけではない、理解すべきである。
【０１２０】
上記において、図１〜図６を結合して、本発明の実施例による中継伝送のための方法を詳しく説明しており、以下において、図７〜図１２を結合して、本発明の実施例による中継伝送のための装置を詳しく説明する。
【０１２１】
図７は、本発明の実施例により提供される中継端末デバイス５００を示している。図７に示すように、当該中継端末デバイス５００は、送信ユニット５１０と受信ユニット５２０とを含む。
【０１２２】
送信ユニット５１０は、コアネットワークデバイスにベアラ確立要求を送信するように構成され、当該ベアラ確立要求が、遠端端末デバイスのＥＰＳベアラを確立するように要求するために用いられる。
【０１２３】
受信ユニット５２０は、アクセスネットワークデバイスより送信された再構成メッセージを受信するように構成され、当該再構成メッセージが当該遠端端末デバイスのために確立されるＥＰＳベアラの構成情報を含み、ここで、当該ＥＰＳベアラが、当該アクセスネットワークデバイスと当該中継端末デバイスとの間のセルラーデータ伝送チャネルと、当該中継端末デバイスと当該遠端端末デバイスとの間のＤ２Ｄデータ伝送チャネルとを含む。
【０１２４】
選択肢として、当該ベアラ確立要求は、当該遠端端末デバイスの端末デバイス識別子を含む。
【０１２５】
選択肢として、当該ＥＰＳベアラの構成情報は、当該中継端末デバイスと当該アクセスネットワークデバイスとの間のセルラー通信インターフェースの構成情報と、当該中継端末デバイスと当該遠端端末デバイスとの間のＤ２Ｄ通信インターフェースの構成情報とを含む。
【０１２６】
選択肢として、当該セルラー通信インターフェースの構成情報は、具体的に物理層の第１の構成情報であり、当該Ｄ２Ｄ通信インターフェースの構成情報は、具体的に物理層の第２の構成情報であり、又は
当該セルラー通信インターフェースの構成情報は、具体的に物理層の第１の構成情報とレイヤ２の第１の構成情報であり、当該Ｄ２Ｄ通信インターフェースの構成情報は、具体的に物理層の第２の構成情報とレイヤ２の第２の構成情報のうちの少なくとも一つである。
【０１２７】
選択肢として、当該物理層の第１の構成情報は、当該セルラー通信インターフェースにおいて中継伝送するための第１の伝送リソースの情報、中継特定ＲＮＴＩ、中継伝送のデータ量区間とＰＵＣＣＨリソースとの対応関係、及び中継伝送のデータ量区間とプリアンブルコードとの対応関係のうちの少なくとも一つの情報を含み、ここで、当該中継特定ＲＮＴＩは、当該アクセスネットワークデバイスが、当該遠端端末デバイスのダウンリンクデータ伝送をスケジューリングするための物理ダウンリンク制御チャネルに対してスクランブリングするために用いられる。
【０１２８】
選択肢として、当該物理層の第２の構成情報が、当該Ｄ２Ｄ通信インターフェースにおいて中継伝送するための第２の伝送リソースの情報を含む。
【０１２９】
選択肢として、当該レイヤ２の第１の構成情報は、中継特定ＬＣＩＤと当該遠端端末デバイスに割り当てたレイヤ２識別子のうちの少なくとも一つの情報を含み、ここで、当該中継特定ＬＣＩＤが中継伝送を識別するために用いられる。
【０１３０】
選択肢として、当該レイヤ２の第２の構成情報が、当該遠端端末デバイスに割り当てたレイヤ２識別子を含む。
【０１３１】
選択肢として、当該ＥＰＳベアラの構成情報は、当該アクセスネットワークデバイスと当該遠端端末デバイスとの間のユーザプレーンピアツーピアレイヤの構成情報をさらに含む。
【０１３２】
それに応じて、当該送信ユニット５１０は、当該遠端端末デバイスに、当該アクセスネットワークデバイスと当該遠端端末デバイスとの間のユーザプレーンピアツーピアレイヤの構成情報を送信するようにさらに構成される。
【０１３３】
選択肢として、当該受信ユニット５２０は、当該送信ユニット５１０がコアネットワークデバイスにベアラ確立要求を送信する前に、当該遠端端末デバイスの接続確立要求を受信するようにさらに構成され、当該接続確立要求が、当該中継端末デバイスと当該遠端端末デバイスとの間のＤ２Ｄ通信リンクを確定するように要求するために用いられる。
【０１３４】
それに応じて、当該送信ユニット５１０は、具体的に、当該受信ユニット５２０で受信された当該接続確立要求に基づいて、コアネットワークデバイスにベアラ確立要求を送信するように構成される。
【０１３５】
選択肢として、当該送信ユニット５１０は、具体的に、コアネットワークデバイスに非アクセス層メッセージを送信するように構成され、当該非アクセス層メッセージが当該ベアラ確立要求を含む。
【０１３６】
選択肢として、当該ベアラ確立要求は、当該遠端端末デバイスの端末デバイス識別子を含み、それに応じて、当該ＥＰＳベアラは、当該コアネットワークデバイスが当該アクセスネットワークデバイスにアプリケーション層プロトコルのシグナリングを送信することによって確立されたものであり、ここで、当該アプリケーション層プロトコルのシグナリングが、当該遠端端末デバイスの端末デバイス識別子を含む。
【０１３７】
選択肢として、当該アクセスネットワークデバイスが、当該ＲＲＣメッセージに基づいて、コアネットワークデバイスに当該遠端端末デバイスのベアラを確立するように要求するためのアプリケーション層プロトコルのシグナリングを送信することができるように、当該送信ユニット５１０は、具体的に、当該アクセスネットワークデバイスにＲＲＣメッセージを送信するように構成され、当該ＲＲＣメッセージは当該ベアラ確立要求を含む。
【０１３８】
選択肢として、当該ベアラ確立要求は、当該遠端端末デバイスのＰＤＮ接続を確立するように要求するためにさらに用いられる。この場合、当該再構成メッセージは、当該遠端端末デバイスのために確立されるＰＤＮ接続の構成情報をさらに含み、当該送信ユニット５１０は、当該遠端端末デバイスに当該ＰＤＮ接続の構成情報を送信するようにさらに構成される。
【０１３９】
選択可能な例において、当該中継端末デバイス５００は、上記の方法実施例の中継端末デバイスに対応することができ、上記の方法実施例の中継端末デバイスに対応する各ステップ及び／又はプロセスを実行するように構成されることができ、簡潔上、ここで省略する。
【０１４０】
図８には、本発明の実施例により提供される中継伝送のための装置６００を示している。図８に示すように、当該装置６００は、受信ユニット６１０と処理ユニット６２０とを含む。
【０１４１】
受信ユニット６１０は、中継端末デバイスより送信されたベアラ確立要求を受信するように構成され、当該ベアラ確立要求が、遠端端末デバイスのＥＰＳベアラを確立するように要求するために用いられる。
【０１４２】
処理ユニット６２０は、当該受信ユニット６１０で受信された当該ベアラ確立要求に基づいて、当該遠端端末デバイスのＥＰＳベアラを確立するように構成され、ここで、当該ＥＰＳベアラが、アクセスネットワークデバイスと当該中継端末デバイスとの間のセルラーデータ伝送チャネルと、当該中継端末デバイスと当該遠端端末デバイスとの間のＤ２Ｄデータ伝送チャネルとを含む。
【０１４３】
選択肢として、当該ベアラ確立要求は、当該遠端端末デバイスの端末デバイス識別子を含む。
【０１４４】
選択肢として、当該受信ユニット６１０は、具体的に、当該中継端末デバイスより送信された非アクセス層メッセージを受信するように構成され、当該非アクセス層メッセージが当該ベアラ確立要求を含む。
【０１４５】
それに応じて、当該装置６００は、送信ユニットをさらに含み、当該処理ユニット６２０は、具体的に、当該送信ユニットによって当該アクセスネットワークデバイスにアプリケーション層プロトコルのシグナリングを送信するように構成され、ここで、当該アプリケーション層プロトコルのシグナリングが、当該遠端端末デバイスの端末デバイス識別子を含む。
【０１４６】
選択肢として、当該受信ユニット６１０は、具体的に、当該アクセスネットワークデバイスより送信されたアプリケーション層プロトコルのシグナリングを受信するように構成され、当該アプリケーション層プロトコルのシグナリングが、当該アクセスネットワークデバイスが当該中継端末デバイスより送信されたＲＲＣメッセージに基づいて送信されたものであり、当該ＲＲＣメッセージは当該ベアラ確立要求を含む。
【０１４７】
選択可能な例において、当該装置６００は、上記の方法実施例のコアネットワークデバイスに対応することができ、上記の方法実施例のコアネットワークデバイスに対応する各ステップ及び／又はプロセスを実行するように構成されることができる。簡潔上、ここで省略する。
【０１４８】
図９には、本発明の実施例により提供される別の中継伝送のための装置７００を示している。図９に示すように、当該装置７００は、受信ユニット７１０、処理ユニット７２０、及び送信ユニット７３０を含む。
【０１４９】
受信ユニット７１０は、ベアラ確立要求を受信するように構成され、当該ベアラ確立要求が、遠端端末デバイスのＥＰＳベアラを確立するように要求するために用いられる。
【０１５０】
処理ユニット７２０は、当該受信ユニット７１０で受信された当該ベアラ確立要求に基づいて、当該遠端端末デバイスのＥＰＳベアラを確立するように構成され、ここで、当該ＥＰＳベアラが、アクセスネットワークデバイスと中継端末デバイスとの間のセルラーデータ伝送チャネルと、当該中継端末デバイスと当該遠端端末デバイスとの間のＤ２Ｄデータ伝送チャネルとを含む。
【０１５１】
送信ユニット７３０は、当該中継端末デバイスに再構成メッセージを送信するように構成され、当該再構成メッセージが当該処理ユニット７２０で確立された当該ＥＰＳベアラの構成情報を含む。
【０１５２】
選択肢として、当該ＥＰＳベアラの構成情報は、当該中継端末デバイスと当該アクセスネットワークデバイスとの間のセルラー通信インターフェースの構成情報と、当該中継端末デバイスと当該遠端端末デバイスとの間のＤ２Ｄ通信インターフェースの構成情報とを含む。
【０１５３】
選択肢として、当該セルラー通信インターフェースの構成情報は、具体的に物理層の第１の構成情報であり、当該Ｄ２Ｄ通信インターフェースの構成情報は、具体的に物理層の第２の構成情報であり、又は
当該セルラー通信インターフェースの構成情報は、具体的に物理層の第１の構成情報とレイヤ２の第１の構成情報であり、当該Ｄ２Ｄ通信インターフェースの構成情報は、具体的に物理層の第２の構成情報とレイヤ２の第２の構成情報のうちの少なくとも一つである。
【０１５４】
選択肢として、当該物理層の第１の構成情報は、当該セルラー通信インターフェースにおいて中継伝送するための第１の伝送リソースの情報、中継特定ＲＮＴＩ、中継伝送のデータ量区間とＰＵＣＣＨリソースとの対応関係、及び中継伝送のデータ量区間とプリアンブルコードとの対応関係のうちの少なくとも一つの情報を含み、ここで、当該中継特定ＲＮＴＩは、当該アクセスネットワークデバイスが、当該遠端端末デバイスのダウンリンクデータ伝送をスケジューリングするための物理ダウンリンク制御チャネルに対してスクランブリングするために用いられる。
【０１５５】
選択肢として、当該物理層の第２の構成情報が、当該Ｄ２Ｄ通信インターフェースにおいて中継伝送するための第２の伝送リソースの情報を含む。
【０１５６】
選択肢として、当該レイヤ２の第１の構成情報は、中継特定ＬＣＩＤと当該遠端端末デバイスに割り当てたレイヤ２識別子のうちの少なくとも一つの情報を含み、ここで、当該中継特定ＬＣＩＤが中継伝送を識別するために用いられる。
【０１５７】
選択肢として、当該レイヤ２の第２の構成情報が、当該遠端端末デバイスに割り当てたレイヤ２識別子を含む。
【０１５８】
選択肢として、当該ＥＰＳベアラの構成情報は、当該アクセスネットワークデバイスと当該遠端端末デバイスとの間のユーザプレーンピアツーピアレイヤの構成情報をさらに含む。
【０１５９】
選択肢として、当該受信ユニット７１０は、具体的に、当該中継端末デバイスより送信されたＲＲＣメッセージを受信するように構成され、当該ＲＲＣメッセージは当該ベアラ確立要求を含む。
【０１６０】
それに応じて、当該処理ユニット７２０は、具体的に、当該ＲＲＣメッセージに基づいて、当該送信ユニット７３０によって、コアネットワークデバイスに、当該遠端端末デバイスのベアラを確立するように要求するためのアプリケーション層プロトコルのシグナリングを送信するように構成される。
【０１６１】
選択肢として、当該受信ユニット７１０は、具体的に、コアネットワークデバイスより送信されたアプリケーション層プロトコルのシグナリングを受信するように構成され、当該アプリケーション層プロトコルのシグナリングは、当該ベアラ確立要求を含む。
【０１６２】
選択肢として、当該ベアラ確立要求は、当該遠端端末デバイスの端末デバイス識別子を含む。
【０１６３】
選択肢として、当該ベアラ確立要求は、当該遠端端末デバイスのＰＤＮ接続を確立するように要求するためにさらに用いられる。この場合、当該処理ユニット７２０は、当該ベアラ確立要求に基づいて、当該遠端端末デバイスのＰＤＮ接続を確立するようにさらに構成され、それに応じて、当該送信ユニット７３０は、当該中継端末デバイスに当該ＰＤＮ接続の構成情報を送信するようにさらに構成される。
【０１６４】
選択可能な例において、当該装置７００は、上記の方法実施例のアクセスネットワークデバイスに対応することができ、上記の方法実施例のアクセスネットワークデバイスに対応する各ステップ及び／又はプロセスを実行するように構成されることができる。簡潔上、ここで省略する。
【０１６５】
なお、装置５００、装置６００及び装置７００のすべては、機能ユニットとして表される。ここでの用語「ユニット」は、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ、）、電子回路、一つ又は複数のソフトウェア又はファームウェアプログラムを実行するためのプロセッサ（例えば共有プロセッサ、専用プロセッサ又はプロセッサセット等）と記憶装置、組み合わせロジック回路及び／又はその他の記載されている機能をサポートする適切のコンポーネントを指しても良い。
【０１６６】
図１０には、本発明の実施例により提供される中継端末デバイス８００を示している。図１０に示すように、当該中継端末デバイス８００は、トランスミッター８１０、レシーバー８２０を含む。
【０１６７】
トランスミッター８１０は、コアネットワークデバイスにベアラ確立要求を送信するように構成され、当該ベアラ確立要求が、遠端端末デバイスのＥＰＳベアラを確立するように要求するために用いられる。
【０１６８】
レシーバー８２０は、アクセスネットワークデバイスより送信された再構成メッセージを受信するように構成され、当該再構成メッセージが当該遠端端末デバイスのために確立されるＥＰＳベアラの構成情報を含み、ここで、当該ＥＰＳベアラが、当該アクセスネットワークデバイスと当該中継端末デバイスとの間のセルラーデータ伝送チャネルと、当該中継端末デバイスと当該遠端端末デバイスとの間のＤ２Ｄデータ伝送チャネルとを含む。
【０１６９】
選択肢として、当該ベアラ確立要求は、当該遠端端末デバイスの端末デバイス識別子を含む。
【０１７０】
選択肢として、当該ＥＰＳベアラの構成情報は、当該中継端末デバイスと当該アクセスネットワークデバイスとの間のセルラー通信インターフェースの構成情報と、当該中継端末デバイスと当該遠端端末デバイスとの間のＤ２Ｄ通信インターフェースの構成情報とを含む。
【０１７１】
選択肢として、当該セルラー通信インターフェースの構成情報は、具体的に物理層の第１の構成情報であり、当該Ｄ２Ｄ通信インターフェースの構成情報は、具体的に物理層の第２の構成情報であり、又は
当該セルラー通信インターフェースの構成情報は、具体的に物理層の第１の構成情報とレイヤ２の第１の構成情報であり、当該Ｄ２Ｄ通信インターフェースの構成情報は、具体的に物理層の第２の構成情報とレイヤ２の第２の構成情報のうちの少なくとも一つである。
【０１７２】
選択肢として、当該物理層の第１の構成情報は、当該セルラー通信インターフェースにおいて中継伝送するための第１の伝送リソースの情報、中継特定ＲＮＴＩ、中継伝送のデータ量区間とＰＵＣＣＨリソースとの対応関係、及び中継伝送のデータ量区間とプリアンブルコードとの対応関係のうちの少なくとも一つの情報を含み、ここで、当該中継特定ＲＮＴＩは、当該アクセスネットワークデバイスが、当該遠端端末デバイスのダウンリンクデータ伝送をスケジューリングするための物理ダウンリンク制御チャネルに対してスクランブリングするために用いられる。
【０１７３】
選択肢として、当該物理層の第２の構成情報が、当該Ｄ２Ｄ通信インターフェースにおいて中継伝送するための第２の伝送リソースの情報を含む。
【０１７４】
選択肢として、当該レイヤ２の第１の構成情報は、中継特定ＬＣＩＤと当該遠端端末デバイスに割り当てたレイヤ２識別子のうちの少なくとも一つの情報を含み、ここで、当該中継特定ＬＣＩＤが中継伝送を識別するために用いられる。
【０１７５】
選択肢として、当該レイヤ２の第２の構成情報が、当該遠端端末デバイスに割り当てたレイヤ２識別子を含む。
【０１７６】
選択肢として、当該ＥＰＳベアラの構成情報は、当該アクセスネットワークデバイスと当該遠端端末デバイスとの間のユーザプレーンピアツーピアレイヤの構成情報をさらに含む。
【０１７７】
それに応じて、当該トランスミッター８１０は、当該遠端端末デバイスに、当該アクセスネットワークデバイスと当該遠端端末デバイスとの間のユーザプレーンピアツーピアレイヤの構成情報を送信するようにさらに構成される。
【０１７８】
選択肢として、当該レシーバー８２０は、当該トランスミッター８１０で、コアネットワークデバイスにベアラ確立要求を送信する前に、当該遠端端末デバイスからの接続確立要求を受信するようにさらに構成され、当該接続確立要求が、当該中継端末デバイスと当該遠端端末デバイスとの間のＤ２Ｄ通信リンクを確定するように要求するために用いられる。
【０１７９】
それに応じて、当該トランスミッター８１０は、具体的に、当該レシーバー８２０で受信された当該接続確立要求に基づいて、コアネットワークデバイスにベアラ確立要求を送信する。
【０１８０】
選択肢として、当該トランスミッター８１０は、具体的に、コアネットワークデバイスに非アクセス層メッセージを送信するように構成され、当該非アクセス層メッセージが当該ベアラ確立要求を含む。
【０１８１】
選択肢として、当該ベアラ確立要求は、当該遠端端末デバイスの端末デバイス識別子を含み、それに応じて、当該ＥＰＳベアラは、当該コアネットワークデバイスが当該アクセスネットワークデバイスにアプリケーション層プロトコルのシグナリングを送信することによって確立されたものであり、ここで、当該アプリケーション層プロトコルのシグナリングが、当該遠端端末デバイスの端末デバイス識別子を含む。
【０１８２】
選択肢として、当該アクセスネットワークデバイスが、当該ＲＲＣメッセージに基づいて、コアネットワークデバイスに当該遠端端末デバイスのベアラを確立するように要求するためのアプリケーション層プロトコルのシグナリングを送信することができるように、当該トランスミッター８１０は、具体的に、当該アクセスネットワークデバイスにＲＲＣメッセージを送信するように構成され、当該ＲＲＣメッセージは当該ベアラ確立要求を含む。
【０１８３】
選択肢として、当該ベアラ確立要求は、当該遠端端末デバイスのＰＤＮ接続を確立するように要求するためにさらに用いられる。この場合、当該再構成メッセージは、当該遠端端末デバイスのために確立されるＰＤＮ接続の構成情報をさらに含み、当該トランスミッター８１０は、当該遠端端末デバイスに当該ＰＤＮ接続の構成情報を送信するようにさらに構成される。
【０１８４】
選択可能な例において、当該中継端末デバイス８００は、上記の方法実施例の中継端末デバイスに対応することができ、上記の方法実施例の中継端末デバイスに対応する各ステップ及び／又はプロセスを実行するように構成されることができ、簡潔上、ここで省略する。選択肢として、装置８００は、記憶装置とプロセッサと含むことができ、当該記憶装置は、読み取り専用記憶装置とランダムアクセス記憶装置とを含むことができ、プロセッサに命令とデータを提供する。記憶装置の一部は、不揮発性ランダムアクセス記憶装置をさらに含むことが可能である。例えば、記憶装置は、デバイスタイプの情報を記憶することができる。プロセッサは、記憶装置に記憶される命令を実行するように構成され、また、当該プロセッサが記憶装置に記憶される命令を実行する時に、当該プロセッサは、上記の方法実施例の各ステップ及び／又はプロセスを実行するように構成される。
【０１８５】
図１１は、本発明の実施例により提供される中継伝送のための装置９００を示している。図１１に示すように、当該装置９００は、レシーバー９１０とプロセッサ９２０とを含む。
【０１８６】
レシーバー９１０は、中継端末デバイスより送信されたベアラ確立要求を受信するように構成され、当該ベアラ確立要求が、遠端端末デバイスのＥＰＳベアラを確立するように要求するために用いられる。
【０１８７】
プロセッサ９２０は、当該レシーバー９１０で受信された当該ベアラ確立要求に基づいて、当該遠端端末デバイスのＥＰＳベアラを確立するように構成され、ここで、当該ＥＰＳベアラが、アクセスネットワークデバイスと当該中継端末デバイスとの間のセルラーデータ伝送チャネルと、当該中継端末デバイスと当該遠端端末デバイスとの間のＤ２Ｄデータ伝送チャネルとを含む。
【０１８８】
選択肢として、当該ベアラ確立要求は、当該遠端端末デバイスの端末デバイス識別子を含む。
【０１８９】
選択肢として、当該レシーバー９１０は、具体的に、当該中継端末デバイスより送信された非アクセス層メッセージを受信するように構成され、当該非アクセス層メッセージが当該ベアラ確立要求を含む。
【０１９０】
それに応じて、当該装置９００は、トランスミッターをさらに含み、当該プロセッサ９２０は、具体的に、当該トランスミッターが当該アクセスネットワークデバイスにアプリケーション層プロトコルのシグナリングを送信するように構成され、ここで、当該アプリケーション層プロトコルのシグナリングが、当該遠端端末デバイスの端末デバイス識別子を含む。
【０１９１】
選択肢として、当該レシーバー９１０は、具体的に、当該アクセスネットワークデバイスより送信されたアプリケーション層プロトコルのシグナリングを受信するように構成され、当該アプリケーション層プロトコルのシグナリングが、当該アクセスネットワークデバイスが当該中継端末デバイスより送信されたＲＲＣメッセージに基づいて送信されたものであり、当該ＲＲＣメッセージは当該ベアラ確立要求を含む。
【０１９２】
選択可能な例において、当該装置９００は、上記の方法実施例のコアネットワークデバイスに対応することができ、上記の方法実施例のコアネットワークデバイスに対応する各ステップ及び／又はプロセスを実行するように構成されることができる。選択肢として、装置９００は、記憶装置をさらに含み、当該記憶装置は、読み取り専用記憶装置とランダムアクセス記憶装置とを含むことができ、プロセッサに命令とデータを提供する。記憶装置の一部は、不揮発性ランダムアクセス記憶装置をさらに含むことが可能である。例えば、記憶装置は、デバイスタイプの情報を記憶することができる。プロセッサは、記憶装置に記憶される命令を実行するように構成され、また、当該プロセッサが記憶装置に記憶される命令を実行する時に、当該プロセッサは、上記の方法実施例の各ステップ及び／又はプロセスを実行するように構成される。
【０１９３】
図１２には、本発明の実施例により提供される別の中継伝送のための装置１０００が示されている。図１２に示すように、当該装置１０００は、レシーバー１０１０、プロセッサ１０２０、及びトランスミッター１０３０を含む。
【０１９４】
レシーバー１０１０は、ベアラ確立要求を受信するように構成され、当該ベアラ確立要求が、遠端端末デバイスのＥＰＳベアラを確立するように要求するために用いられる。
【０１９５】
プロセッサ１０２０は、当該レシーバー１０１０で受信された当該ベアラ確立要求に基づいて、当該遠端端末デバイスのＥＰＳベアラを確立するように構成され、ここで、当該ＥＰＳベアラが、アクセスネットワークデバイスと中継端末デバイスとの間のセルラーデータ伝送チャネルと、当該中継端末デバイスと当該遠端端末デバイスとの間のＤ２Ｄデータ伝送チャネルとを含む。
【０１９６】
トランスミッター１０３０は、当該中継端末デバイスに再構成メッセージを送信するように構成され、当該再構成メッセージが、当該プロセッサ１０２０で確立された当該ＥＰＳベアラの構成情報を含む。
【０１９７】
選択肢として、当該ＥＰＳベアラの構成情報は、当該中継端末デバイスと当該アクセスネットワークデバイスとの間のセルラー通信インターフェースの構成情報と、当該中継端末デバイスと当該遠端端末デバイスとの間のＤ２Ｄ通信インターフェースの構成情報とを含む。
【０１９８】
選択肢として、当該セルラー通信インターフェースの構成情報は、具体的に物理層の第１の構成情報であり、当該Ｄ２Ｄ通信インターフェースの構成情報は、具体的に物理層の第２の構成情報であり、又は
当該セルラー通信インターフェースの構成情報は、具体的に物理層の第１の構成情報とレイヤ２の第１の構成情報であり、当該Ｄ２Ｄ通信インターフェースの構成情報は、具体的に物理層の第２の構成情報とレイヤ２の第２の構成情報のうちの少なくとも一つである。
【０１９９】
選択肢として、当該物理層の第１の構成情報は、当該セルラー通信インターフェースにおいて中継伝送するための第１の伝送リソースの情報、中継特定ＲＮＴＩ、中継伝送のデータ量区間とＰＵＣＣＨリソースとの対応関係、及び中継伝送のデータ量区間とプリアンブルコードとの対応関係のうちの少なくとも一つの情報を含み、ここで、当該中継特定ＲＮＴＩは、当該アクセスネットワークデバイスが、当該遠端端末デバイスのダウンリンクデータ伝送をスケジューリングするための物理ダウンリンク制御チャネルに対してスクランブリングするために用いられる。
【０２００】
選択肢として、当該物理層の第２の構成情報が、当該Ｄ２Ｄ通信インターフェースにおいて中継伝送するための第２の伝送リソースの情報を含む。
【０２０１】
選択肢として、当該レイヤ２の第１の構成情報は、中継特定ＬＣＩＤと当該遠端端末デバイスに割り当てたレイヤ２識別子のうちの少なくとも一つの情報を含み、ここで、当該中継特定ＬＣＩＤが中継伝送を識別するために用いられる。
【０２０２】
選択肢として、当該レイヤ２の第２の構成情報が、当該遠端端末デバイスに割り当てたレイヤ２識別子を含む。
【０２０３】
選択肢として、当該ＥＰＳベアラの構成情報は、当該アクセスネットワークデバイスと当該遠端端末デバイスとの間のユーザプレーンピアツーピアレイヤの構成情報をさらに含む。
【０２０４】
選択肢として、当該レシーバー１０１０は、具体的に、当該中継端末デバイスより送信されたＲＲＣメッセージを受信するように構成され、当該ＲＲＣメッセージは当該ベアラ確立要求を含む。
【０２０５】
それに応じて、当該プロセッサ１０２０は、具体的に、当該ＲＲＣメッセージに基づいて、当該トランスミッター１０３０によって、コアネットワークデバイスに、当該遠端端末デバイスのベアラを確立するように要求するためのアプリケーション層プロトコルのシグナリングを送信するようにさらに構成される。
【０２０６】
選択肢として、当該レシーバー１０１０は、具体的に、コアネットワークデバイスより送信されたアプリケーション層プロトコルのシグナリングを受信するように構成され、当該アプリケーション層プロトコルのシグナリングは、当該ベアラ確立要求を含む。
【０２０７】
選択肢として、当該ベアラ確立要求は、当該遠端端末デバイスの端末デバイス識別子を含む。
【０２０８】
選択肢として、当該ベアラ確立要求は、当該遠端端末デバイスのＰＤＮ接続を確立するように要求するためにさらに用いられる。この場合、当該プロセッサ１０２０は、当該ベアラ確立要求に基づいて、当該遠端端末デバイスのＰＤＮ接続を確立するようにさらに構成され、それに応じて、当該トランスミッター１０３０は、当該中継端末デバイスに当該ＰＤＮ接続の構成情報を送信するようにさらに構成される。
【０２０９】
選択可能な例において、当該装置１０００は、上記の方法実施例のアクセスネットワークデバイスに対応することができ、上記の方法実施例のアクセスネットワークデバイスに対応する各ステップ及び／又はプロセスを実行するように構成されることができる。選択肢として、装置１０００は、記憶装置をさらに含み、当該記憶装置は、読み取り専用記憶装置とランダムアクセス記憶装置とを含むことができ、プロセッサに命令とデータを提供する。記憶装置の一部は、不揮発性ランダムアクセス記憶装置をさらに含むことが可能である。例えば、記憶装置は、デバイスタイプの情報を記憶することができる。プロセッサは、記憶装置に記憶される命令を実行するように構成され、また、当該プロセッサが記憶装置に記憶される命令を実行する時に、当該プロセッサは、上記の方法実施例の各ステップ及び／又はプロセスを実行するように構成される。
【０２１０】
なお、本発明の実施例において、当該プロセッサは、中央処理ユニット（ＣＰＵ：Ｃｅｎｔｒａｌ  Ｐｒｏｃｅｓｓｉｎｇ  Ｕｎｉｔ）であっても良く、当該プロセッサーは、その他の汎用プロセッサー、デジタルシグナルプロセッサ（ＤＳＰ）、専用集積回路（ＡＳＩＣ）、現場でプログラマブルゲートアレイ（ＦＰＧＡ）又はその他のプログラマブルロジックデバイス、ディスクリートゲート又はトランジスタ論理デバイス、ディスクリートハードウェアコンポーネントであってもよい。汎用プロセッサーは、マイクロプロセッサーであっても良く、又は当該プロセッサーはいずれかの通常のプロセッサーなどであっても良い。
【０２１１】
実現過程において、上記方法の実施例における各ステップは、プロセッサにおけるハードウェアの集積論理回路、又はソフトウェア形態の命令により完成されても良い。本発明の実施例に開示された方法を結合するステップは、ハードウェア復号プロセッサによって実行して完成され、又は復号プロセッサにおけるハードウェアモジュール及びソフトウェアモジュールの組み合わせによって実行して完成されるように具現することができる。ソフトウェアモジュールは、ランダムアクセスメモリ、フラッシュメモリ、読み取り専用メモリ、プログラマブル読み取り専用メモリ又は電気的消去可能プログラマブルメモリ、レジスタなどの本分野における成熟した記憶媒体に位置してもよい。該記憶媒質はメモリに位置し、プロセッサはメモリにおける情報を読み取り、そのハードウェアと組み合わせて上記方法のステップを完成する。
【０２１２】
なお、簡潔上、本願における実施例に対する記載が、主に各実施例間の異なる部分を強調し、それらの同様又は類似する部分を互いに参照すること可能である。
【０２１３】
本願に開示されている実施例の記載を結合した各方法ステップとユニットは、電子ハードウェア、コンピュータソフトウェア、又はそれらの結合で実現することができると、当業者であれば理解できる。ハードウェアとソフトウェアの互換性の可能性を明確に説明するため、上記の説明において機能に基づいて各実施例のステップ、及び組成を一般的に説明している。これらの機能はハードウェアそれともソフトウェアで実行するかは、技術案の特定運用と設計制約に依存する。当業者は、各特定した運用に基づいて異なる方法を使用して記載されている機能を実現することができるが、このような実現は、本発明の範囲外というわけではない。
【０２１４】
当業者は、上記に記載されているマルチメディア情報再生方法の実施例、標準化サーバの実施例、及び生放送端末の実施例は参考し合うことが可能であることを、明確に理解すべきであり、説明の便利と簡潔のために、ここでそれ以上を述べない。
【０２１５】
本願に提供されている幾つかの実施例において、開示されているシステム、装置及び方法は、その他の方式で実現されても良い。例えば、上記に記載されている装置の実施例は単なる例示的なものに過ぎず、例えば、前記ユニットの分け方が、単なるロジック的な機能分けであり、実際、実現する時に他の分け方があっても良く、例えば、複数のユニット又はコンポーネントを別のシステムへ統合、又は集成しても良く、又は幾つかの技術特徴を省略、又は実施しなくても良い。また、明示され、又は議論されている各構成部分の互い的なカップリング、又は直接のカップリング、又は通信接続は、幾つかのインターフェース、装置、又はユニットの間接のカップリング又は通信によって接続されても良く、電気的、機械的、又はその他の形式であっても良い。
【０２１６】
上記で分離コンポーネントとして説明したユニットは、物理的に分離されるものであっても良く、そうではないものであっても良い。ユニットとして示されるコンポーネントは物理ユニットであっても良く、そうではないものであっても良い。一箇所に配置されても良く、複数のネットワークユニットに配布しても良い。実際のニーズに応じて、その中の一部又は全部のユニットを選択して本実施例の技術案の目的を実現しても良い。
【０２１７】
また、本発明の各実施例における各機能ユニットは、一つの処理ユニットに統合しても良く、各ユニットはそれぞれ単独なユニットとしても良く、二つ又は二つ以上のユニットを一つのユニットに統合しても良い。上記統合したユニットは、ハードウェアで実現しても良く、ソフトウェア機能ユニットで実現しても良い。
【０２１８】
前記統合したユニットは、ソフトウェア機能モジュールの方式で実現し、しかも独立な製品として販売又は使用する時に、コンピュータ読み取り可能の記憶媒体に記憶しても良い。これによって、本発明の実施例の技術案は、事実上、言い換えれば先行技術に貢献した部分として、ソフトウェア製品の形で具現でき、該コンピュータソフトウェア製品は記憶媒体に記憶され、コンピュータ装置（パソコン、サーバ、またはネットワーク装置などであっても良い）に本発明の各実施例の全部または一部の前記方法を実行させための複数の命令を含む。上記の記憶媒体は、移動記憶媒体、読み取り専用メモリ（ＲＯＭ：Ｒｅａｄ−Ｏｎｌｙ  Ｍｅｍｏｒｙ）、磁気ディスク又はコンパクトディスクなどの各種のプログラムコードが記憶できる媒体を含む。
【０２１９】
上記に記載されているのは、単なる本発明の具体的な実施形態に過ぎず、本発明はそれに限らず、当業者が本発明に開示されている範囲内において、容易に想到し得る変形又は入れ替えは、全て本発明の範囲内に含まれるべきである。そのため、本発明の範囲は、記載されている特許請求の範囲に準じるべきである。
【図１】
2020171024.tif 000003
【図２】
2020171024.tif 000004
【図３】
2020171024.tif 000005
【図４】
2020171024.tif 000006
【図５】
2020171024.tif 000007
【図６】
2020171024.tif 000008
【図７】
2020171024.tif 000009
【図８】
2020171024.tif 000010
【図９】
2020171024.tif 000011
【図１０】
2020171024.tif 000012
【図１１】
2020171024.tif 000013
【図１２】
2020171024.tif 000014